(57)【特許請求の範囲】
【請求項１】
遊技機の遊技盤に設けられた複数の障害釘に対して異なる種類の整備を行うことが可能な障害釘整備装置であって、
障害釘の整備を行う遊技盤が移動しないように保持可能な保持手段と、
前記保持手段による遊技盤の保持を制御する制御手段と、
を備え、
前記制御手段は、第１種類の整備を行うときには、該第１種類の整備とは異なる第２種類の整備を行うときと異なる保持制御を行う
ことを特徴とする障害釘整備装置。
【請求項２】
障害釘の整備は、複数の工具を使用する整備であって、
前記第１種類の整備と前記第２種類の整備とでは、使用する工具が異なる
ことを特徴とする請求項１に記載の障害釘整備装置。
【請求項３】
前記複数の障害釘は、区分の異なる障害釘を含み、
前記第１種類の整備と前記第２種類の整備とでは、整備する障害釘の区分が異なる
ことを特徴とする請求項１または２に記載の障害釘整備装置。
【請求項４】
遊技機の遊技盤を移動しないように保持して、該遊技盤に設けられた複数の障害釘に対して異なる種類の整備を行うための障害釘整備方法であって、
障害釘に対して第１種類の整備を行うときには、該第１種類の整備とは異なる第２種類の整備を行うときに遊技盤が移動しないように保持する保持制御とは異なる保持制御を行う
ことを特徴とする障害釘整備方法。
【請求項５】
障害釘の整備は、複数の工具を使用する整備であって、
前記第１種類の整備と前記第２種類の整備とでは、使用する工具が異なる
ことを特徴とする請求項４に記載の障害釘整備方法。
【請求項６】
前記複数の障害釘は、区分の異なる障害釘を含み、
前記第１種類の整備と前記第２種類の整備とでは、整備する障害釘の区分が異なる
ことを特徴とする請求項４または５に記載の障害釘整備方法。
【請求項７】
遊技機の遊技盤に設けられた複数の障害釘に対して異なる種類の整備を行うことが可能な障害釘整備装置と、該障害釘整備装置を管理する管理装置と、を含む障害釘整備システムであって、
前記管理装置は、障害釘に対して第１種類の整備を行うときには、該第１種類の整備とは異なる第２種類の整備を行うときに遊技盤が移動しないように保持する保持制御とは異なる保持制御を行うための整備データを前記障害釘整備装置に送信する
ことを特徴とする障害釘整備システム。
【請求項８】
障害釘の整備は、複数の工具を使用する整備であって、
前記第１種類の整備と前記第２種類の整備とでは、使用する工具が異なる
ことを特徴とする請求項７に記載の障害釘整備システム。
【請求項９】
前記複数の障害釘は、区分の異なる障害釘を含み、
前記第１種類の整備と前記第２種類の整備とでは、整備する障害釘の区分が異なる
ことを特徴とする請求項７または８に記載の障害釘整備システム。
【請求項１０】
遊技機の遊技盤に設けられた複数の障害釘に対して異なる種類の整備を行うことが可能な障害釘整備装置を管理する管理装置であって、
障害釘に対して第１種類の整備を行うときには、該第１種類の整備とは異なる第２種類の整備を行うときに遊技盤が移動しないように保持する保持制御とは異なる保持制御を行うための整備データを前記障害釘整備装置に送信する
ことを特徴とする管理装置。
【請求項１１】
障害釘の整備は、複数の工具を使用する整備であって、
前記第１種類の整備と前記第２種類の整備とでは、使用する工具が異なる
ことを特徴とする請求項１０に記載の管理装置。
【請求項１２】
前記複数の障害釘は、区分の異なる障害釘を含み、
前記第１種類の整備と前記第２種類の整備とでは、整備する障害釘の区分が異なる
ことを特徴とする請求項１０または１１に記載の管理装置。
【発明の詳細な説明】
【技術分野】
【０００１】
本発明は、遊技機の遊技盤面に設けられた複数の障害釘に対して異なる種類の整備を行うことが可能な障害釘整備装置、障害釘整備方法、障害釘整備システム及び管理装置に関する。
【背景技術】
【０００２】
遊技領域に遊技球を打ち込むことで遊技を行うパチンコ遊技機にあっては、遊技盤面における遊技領域に多数の障害釘が打設されている。このような障害釘は、例えば、真鍮製の釘等が使用され、遊技盤の製造時において釘打ち機等により遊技盤面に打設される。
【０００３】
このように釘打ち機により障害釘を遊技盤面に打設する場合、障害釘の遊技盤面に対する角度等に誤差が生じることがある。このような誤差が生じると遊技球の入賞率等に大きな影響が生じるため、製造時において、遊技盤面に打設された障害釘を撮像し、該撮像した画像データにもとづいて障害釘の設定点からの曲げやずれ量等を測定し、該測定した曲げやずれ量を修正するといった整備を行うことがある。また、このような障害釘の整備は、遊技盤の製造時だけでなく、遊技場にて使用されたパチンコ遊技機を回収し、遊技球の衝撃により障害釘の遊技盤面に対する角度が変化してしまった使用済の遊技盤を再使用するために整備することもある。
【０００４】
このように、遊技盤面に打設された障害釘の曲げやずれ量等を整備する装置として、例えば、制御装置の指令にもとづいて作動するマニピュレータのヘッドに設けられた係合軸の凹穴に障害釘の頭部を嵌合し、マニピュレータを作動することで曲げやずれを修正するもの等があった（例えば、特許文献１参照）。
【先行技術文献】
【特許文献】
【０００５】
【特許文献１】特開平４−２３７９号公報
【発明の概要】
【発明が解決しようとする課題】
【０００６】
上記特許文献１に記載の障害釘整備装置では、遊技盤の保持が一定であると、複数の異なる整備を行う場合に、遊技盤を適切に保持できず、異なる種類の整備を適切に行うことができない畏れがあった。
【０００７】
本発明は、このような問題点に着目してなされたもので、整備不良の障害釘の発生を防ぐことのできる障害釘整備装置、障害釘整備方法、障害釘整備システムまたは管理装置を提供することを目的とする。
【課題を解決するための手段】
【０００８】
前記課題を解決するために、本発明の請求項１に記載の障害釘整備装置は、
遊技機の遊技盤に設けられた複数の障害釘に対して異なる種類の整備を行うことが可能な障害釘整備装置であって、
障害釘の整備を行う遊技盤が移動しないように保持可能な保持手段と、
前記保持手段による遊技盤の保持を制御する制御手段と、
を備え、
前記制御手段は、第１種類の整備を行うときには、該第１種類の整備とは異なる第２種類の整備を行うときと異なる保持制御を行う
ことを特徴としている。
本発明の請求項２に記載の障害釘整備装置は、請求項１に記載の障害釘整備装置であって、
障害釘の整備は、複数の工具を使用する整備であって、
前記第１種類の整備と前記第２種類の整備とでは、使用する工具が異なる
ことを特徴としている。
本発明の請求項３に記載の障害釘整備装置は、請求項１または２に記載の障害釘整備装置であって、
前記複数の障害釘は、区分の異なる障害釘を含み、
前記第１種類の整備と前記第２種類の整備とでは、整備する障害釘の区分が異なる
ことを特徴としている。
本発明の請求項４に記載の障害釘整備方法は、
遊技機の遊技盤を移動しないように保持して、該遊技盤に設けられた複数の障害釘に対して異なる種類の整備を行うための障害釘整備方法であって、
障害釘に対して第１種類の整備を行うときには、該第１種類の整備とは異なる第２種類の整備を行うときに遊技盤が移動しないように保持する保持制御とは異なる保持制御を行う
ことを特徴としている。
本発明の請求項５に記載の障害釘整備方法は、請求項４に記載の障害釘整備方法であって、
障害釘の整備は、複数の工具を使用する整備であって、
前記第１種類の整備と前記第２種類の整備とでは、使用する工具が異なる
ことを特徴としている。
本発明の請求項６に記載の障害釘整備方法は、請求項４または５に記載の障害釘整備方法であって、
前記複数の障害釘は、区分の異なる障害釘を含み、
前記第１種類の整備と前記第２種類の整備とでは、整備する障害釘の区分が異なる
ことを特徴としている。
本発明の請求項７に記載の障害釘整備システムは、
遊技機の遊技盤に設けられた複数の障害釘に対して異なる種類の整備を行うことが可能な障害釘整備装置と、該障害釘整備装置を管理する管理装置と、を含む障害釘整備システムであって、
前記管理装置は、障害釘に対して第１種類の整備を行うときには、該第１種類の整備とは異なる第２種類の整備を行うときに遊技盤が移動しないように保持する保持制御とは異なる保持制御を行うための整備データを前記障害釘整備装置に送信する
ことを特徴としている。
本発明の請求項８に記載の障害釘整備システムは、請求項７に記載の障害釘整備システムであって、
障害釘の整備は、複数の工具を使用する整備であって、
前記第１種類の整備と前記第２種類の整備とでは、使用する工具が異なる
ことを特徴としている。
本発明の請求項９に記載の障害釘整備システムは、請求項７または８に記載の障害釘整備システムであって、
前記複数の障害釘は、区分の異なる障害釘を含み、
前記第１種類の整備と前記第２種類の整備とでは、整備する障害釘の区分が異なる
ことを特徴としている。
本発明の請求項１０に記載の管理装置は、
遊技機の遊技盤に設けられた複数の障害釘に対して異なる種類の整備を行うことが可能な障害釘整備装置を管理する管理装置であって、
障害釘に対して第１種類の整備を行うときには、該第１種類の整備とは異なる第２種類の整備を行うときに遊技盤が移動しないように保持する保持制御とは異なる保持制御を行うための整備データを前記障害釘整備装置に送信する
ことを特徴としている。
本発明の請求項１１に記載の管理装置は、請求項１０に記載の管理装置であって、
障害釘の整備は、複数の工具を使用する整備であって、
前記第１種類の整備と前記第２種類の整備とでは、使用する工具が異なる
ことを特徴としている。
本発明の請求項１２に記載の管理装置は、請求項１０または１１に記載の管理装置であって、
前記複数の障害釘は、区分の異なる障害釘を含み、
前記第１種類の整備と前記第２種類の整備とでは、整備する障害釘の区分が異なる
ことを特徴としている。
本発明の手段１に記載の障害釘整備装置は、
遊技機（例えば、パチンコ遊技機１）の遊技盤面（例えば、遊技盤２の遊技盤面２ａ）に設けられた複数の障害釘（例えば、障害釘２００）に対して異なる種類の整備（例えば、障害釘２００の種類が異なる整備や変形量が異なる整備）を行うことが可能な障害釘整備装置（例えば、障害釘整備装置３００）であって、
障害釘の整備を行う遊技盤（例えば、遊技盤２）が移動しないように保持可能な保持手段（例えば、一対の昇降クランプ３２０）と、
前記保持手段による遊技盤の保持を制御する制御手段（例えば、障害釘整備装置３００の制御ユニット３００’）と、
を備え、
前記制御手段は、第１種類の整備（例えば、指定釘の障害釘２００の整備や閾値以上の変形量の整備）を行うときには、該第１種類の整備とは異なる第２種類の整備（例えば、指定釘以外の障害釘２００の整備や閾値未満の変形量の整備）を行うときと異なる保持制御を行う（例えば、図１１に示すように、指定釘の障害釘２００の整備や閾値以上の変形量の整備を行う場合にはクランプ制御パターンＢによるクランプ制御を行い、指定釘以外の障害釘２００の整備や閾値未満の変形量の整備を行う場合には、クランプ制御パターンＡによるクランプ制御を行う部分）
ことを特徴としている。
この特徴によれば、遊技盤を好適に保持することができるので、異なる種類の整備を適切に行うことができる。
【０００９】
本発明の手段２に記載の障害釘整備方法は、
遊技機の遊技盤（例えば、遊技盤２）を移動しないように保持して、該遊技盤の盤面（例えば、遊技盤面２ａ）に設けられた複数の障害釘（例えば、障害釘２００）に対して異なる種類の整備（例えば、障害釘２００の種類が異なる整備や変形量が異なる整備）を行うための障害釘整備方法であって、
障害釘に対して第１種類（例えば、指定釘の障害釘２００の整備や閾値以上の変形量の整備）の整備を行うときには、該第１種類の整備とは異なる第２種類の整備（例えば、指定釘以外の障害釘２００の整備や閾値未満の変形量の整備）を行うときに遊技盤が移動しないように保持する保持制御とは異なる保持制御を行う（例えば、図１１に示すように、指定釘の障害釘２００の整備や閾値以上の変形量の整備を行う場合にはクランプ制御パターンＢによるクランプ制御を行い、指定釘以外の障害釘２００の整備や閾値未満の変形量の整備を行う場合には、クランプ制御パターンＡによるクランプ制御を行う部分）
ことを特徴としている。
この特徴によれば、遊技盤を好適に保持することができるので、異なる種類の整備を適切に行うことができる。
【００１０】
本発明の手段３に記載の障害釘整備システムは、
遊技機（例えば、パチンコ遊技機１）の遊技盤面（例えば、遊技盤２の遊技盤面２ａ）に設けられた複数の障害釘（例えば、障害釘２００）に対して異なる種類の整備（例えば、障害釘２００の種類が異なる整備や変形量が異なる整備）を行うことが可能な障害釘整備装置（例えば、障害釘整備装置３００）と、該障害釘整備装置を管理する管理装置（例えば、管理コンピュータ５００）と、を含む障害釘整備システムであって、
前記管理装置は、障害釘に対して第１種類の整備（例えば、指定釘の障害釘２００の整備や閾値以上の変形量の整備）を行うときには、該第１種類の整備とは異なる第２種類の整備（例えば、指定釘以外の障害釘２００の整備や閾値未満の変形量の整備）を行うときに遊技盤が移動しないように保持する保持制御（例えば、クランプ制御パターンＡによるクランプ制御）とは異なる保持制御（例えば、クランプ制御パターンＢによるクランプ制御）を行うための整備データ（例えば、第２整備データ）を前記障害釘整備装置に送信する
ことを特徴としている。
この特徴によれば、遊技盤を好適に保持することができるので、異なる種類の整備を適切に行うことができる。
【００１１】
本発明の手段４に記載の管理装置は、
遊技機（例えば、パチンコ遊技機１）の遊技盤面（例えば、遊技盤２の遊技盤面２ａ）に設けられた複数の障害釘（例えば、障害釘２００）に対して異なる種類の整備（例えば、障害釘２００の種類が異なる整備や変形量が異なる整備）を行うことが可能な障害釘整備装置（例えば、障害釘整備装置３００）を管理する管理装置（例えば、管理コンピュータ５００）であって、
障害釘に対して第１種類の整備（例えば、指定釘の障害釘２００の整備や閾値以上の変形量の整備）を行うときには、該第１種類の整備とは異なる第２種類の整備（例えば、指定釘以外の障害釘２００の整備や閾値未満の変形量の整備）を行うときに遊技盤が移動しないように保持する保持制御（例えば、クランプ制御パターンＡによるクランプ制御）とは異なる保持制御（例えば、クランプ制御パターンＢによるクランプ制御）を行うための整備データ（例えば、第２整備データ）を前記障害釘整備装置に送信する
ことを特徴としている。
この特徴によれば、遊技盤を好適に保持することができるので、異なる種類の整備を適切に行うことができる。
【００１２】
本発明の手段５に記載の障害釘整備装置、障害釘整備方法、障害釘整備システムまたは管理装置は、手段１〜４のいずれかに記載の障害釘整備装置、障害釘整備方法、障害釘整備システムまたは管理装置であって、
障害釘の整備は、複数の工具（例えば、図１２に示す工具種別Ａ〜Ｃ）を使用する整備であって、
前記第１種類の整備と前記第２種類の整備とでは、使用する工具が異なる（例えば、整備工具種別Ｂ・Ｃの整備工具を使用する整備の場合にはクランプ制御パターンＢによるクランプ制御を行い、整備工具種別Ａの整備工具を使用する整備の場合にはクランプ制御パターンＡによるクランプ制御を行う部分）
ことを特徴としている。
この特徴によれば、工具の違いに応じて遊技盤を好適に保持することができるので、異なる種類の整備を適切に行うことができる。
【００１３】
本発明の手段６に記載の障害釘整備装置、障害釘整備方法、障害釘整備システムまたは管理装置は、手段１〜５のいずれかに記載の障害釘整備装置、障害釘整備方法、障害釘整備システムまたは管理装置であって、
前記複数の障害釘は、種類の異なる障害釘（例えば、指定釘と指定釘以外の釘）を含み、
前記第１種類の整備と前記第２種類の整備とでは、整備する障害釘の種類が異なる（例えば、指摘釘の障害釘２００の整備の場合にはクランプ制御パターンＢによるクランプ制御を行い、指摘釘以外の障害釘２００の整備の場合にはクランプ制御パターンＡによるクランプ制御を行う部分）
ことを特徴としている。
この特徴によれば、障害釘の違いに応じて遊技盤を好適に保持することができるので、異なる種類の整備を適切に行うことができる。
【００１４】
本発明の手段７に記載の障害釘整備装置、障害釘整備方法、障害釘整備システムまたは管理装置は、手段１〜６のいずれかに記載の障害釘整備装置、障害釘整備方法、障害釘整備システムまたは管理装置であって、
障害釘の整備においては、複数の整備動作（例えば、変形量が閾値以上の整備と閾値未満の整備）による整備が可能であって、
前記第１種類の整備と前記第２種類の整備とでは、整備する整備動作が異なる（例えば、変形量が閾値以上の整備の場合にはクランプ制御パターンＢによるクランプ制御を行い、変形量が閾値未満の整備の場合にはクランプ制御パターンＡによるクランプ制御を行う部分）
ことを特徴としている。
この特徴によれば、整備動作の違いに応じて遊技盤を好適に保持することができるので、異なる種類の整備を適切に行うことができる。
尚、整備動作には、動作自体が異なるものだけではなく、動作自体は同一であるが、動作の速度や移動量等の動作態様が異なるものも、本発明における「異なる整備動作」に含まれる。
【００１５】
本発明の手段８に記載の障害釘整備装置、障害釘整備方法、障害釘整備システムまたは管理装置は、手段１〜７のいずれかに記載の障害釘整備装置、障害釘整備方法、障害釘整備システムまたは管理装置であって、
前記遊技盤を保持する保持状態においては、該遊技盤に形成されたガイド孔（例えば、図８に示す、遊技盤２の４カ所に穿設された４つのガイド孔）に、該ガイド孔の内径よりも小径のガイドピン（図８に示すガイドピン）が挿通された状態で、該ガイドピンと交差する方向に付勢されている（例えば、２つのスライドクランプ３３０により左水平方向に付勢（押されて）いる部分）
ことを特徴としている。
この特徴によれば、保持されている遊技盤の位置精度を高めることができる。
【００１６】
尚、本発明は、本発明の請求項に記載された発明特定事項のみを有するものであってよいし、本発明の請求項に記載された発明特定事項とともに該発明特定事項以外の構成を有するものであってもよい。
【図面の簡単な説明】
【００１７】
【図１】パチンコ遊技機を正面から見た正面図である。
【図２】遊技盤を正面から見た正面図である。
【図３】（Ａ）は普通入賞球装置の周辺の釘配列を示す図、（Ｂ）は（Ａ）のＡ−Ａ断面図である。
【図４】遊技盤の製造ラインの一部を示す平面図である。
【図５】遊技盤の製造システムの構成を示すブロック図である。
【図６】遊技盤の製造工程の大まかな流れを示すフローチャートである。
【図７】障害釘整備装置を示す右側面図である。
【図８】障害釘整備装置を示す平面図である。
【図９】（Ａ）は、挟持部が釘の基端部側に配置された状態を示す右側面、（Ｂ）は、（Ａ）の状態から釘整備を行った状態を示す縦断面図である。
【図１０】（Ａ）は、障害釘整備装置におけるクランプ制御パターンＡによる遊技盤の保持状態を示す図であり、（Ｂ）は、障害釘整備装置におけるクランプ制御パターンＢによる遊技盤の保持状態を示す図である。
【図１１】整備内容とクランプ制御パターンとの関係を示す図である。
【図１２】障害釘整備装置における整備に使用する工具の一例を示す図である。
【図１３】（Ａ）は、指定釘の検査用工具を示す右側面図、（Ｂ）は、検査用工具を示す正面図、（Ｃ）は、検査用工具を示す底面図である。
【図１４】検査用工具による指定釘の植設状態の検査を示す概要図である。
【図１５】（Ａ）は、検査用工具の基点を検査開始位置に配置した状態を示す横断面図、（Ｂ）は、第２当接辺が障害釘に当接した状態を示す横断面図、（Ｃ）は、障害釘に当接する位置に検査用工具の基点を配置した状態を示す横断面図である。
【図１６】（Ａ）は図４における第１釘検査装置及び第２釘検査装置の内部構造を示す平面図、（Ｂ）は（Ａ）のＢ−Ｂ断面図である。
【図１７】シールに印刷される二次元コード及びその他の情報を示す図である。
【図１８】記憶装置に記憶されている機種登録情報一覧を参照する時に表示されるインタフェースを示す図である。
【図１９】記憶装置に機種登録情報を新規登録する際に表示されるインタフェースを示す図である。
【図２０】特定の各障害釘の整備データを設定する際に表示されるインタフェースを示す図である。
【図２１】ヘソ釘の整備データを設定する際に表示されるインタフェースを示す図である。
【図２２】任意釘の整備データを設定する際に表示されるインタフェースを示す図である。
【図２３】標準整備の位置と測定結果との関係並びに測定結果にもとづく補正データの一例を示す図である。
【図２４】管理コンピュータに表示される釘整備方式設定画面を示す図である。
【図２５】管理コンピュータにおける釘打ちデータテーブルの一例を示す図である。
【図２６】管理コンピュータにおける第２画像検査テーブルの一例を示す図である。
【図２７】管理コンピュータに接続されたプリンタから出力される釘間測定書の一例を示す図である。
【図２８】整備用工具４００の一例の六面図である。
【図２９】整備用工具４００の一例の六面図である。
【図３０】整備用工具４００の一例の六面図である。
【図３１】変形例における製造ラインの一部を示す平面図である。
【図３２】変形例の障害釘整備装置を示す平面図である。
【図３３】変形例の障害釘整備装置を示す右側面図である。
【発明を実施するための形態】
【００１８】
本発明に係る障害釘整備装置及び障害釘整備方法を実施するための形態を実施例にもとづいて以下に説明する。
【実施例】
【００１９】
まず、遊技機の一例であるパチンコ遊技機１の全体の構成について説明する。図１は、パチンコ遊技機１を正面から見た正面図である。図２は、遊技盤を正面から見た正面図である。図３の（Ａ）は普通入賞球装置の周辺の釘配列を示す図、（Ｂ）は（Ａ）のＡ−Ａ断面図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００２０】
図１は、本実施例におけるパチンコ遊技機の正面図であり、主要部材の配置レイアウトを示す。パチンコ遊技機（以下、遊技機と略記する場合がある）１は、大別して、遊技盤面を構成する遊技盤２（ゲージ盤ともいう）と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００２１】
図１及び図２に示すように、遊技盤２は、アクリル樹脂、ポリカーボネート樹脂、メタクリル樹脂等の透明な合成樹脂板にて正面視略四角形状に形成され、前面である遊技盤面２ａに障害釘２００等が植設される盤面板２Ａと、該盤面板２Ａの背面側に一体的に取付けられるスペーサ部材２Ｂと、から構成されている。尚、本実施例では、遊技盤２は合成樹脂板から成る盤面板２Ａにて構成されていたが、ベニヤ板等の非透光性部材にて構成され、前面である遊技盤面２ａに複数の障害釘２００やガイドレール２ｂ等が設けられた盤面板にて構成されていてもよい。
【００２２】
図１に示すように、遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２３】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２４】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２５】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。
【００２６】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２７】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞にもとづいて発生する。すなわち、特図ゲームや演出図柄の変動表示といった変動表示ゲームを実行するための始動条件（「実行条件」ともいう）は成立したが、先に成立した開始条件にもとづく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２８】
第１特別図柄表示器４Ａ及び第２特別図柄表示器４Ｂの右方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２９】
演出表示装置５の下方には、普通入賞球装置６Ａと普通可変入賞球装置６Ｂとが設けられているとともに、下方及び右側方には一般入賞口６０が設けられている。普通入賞球装置６Ａは、例えば所定の球受部材によって常に一定の開放状態に保たれる始動領域（第１始動領域）としての第１始動入賞口を形成する。普通可変入賞球装置６Ｂは、ソレノイド（図示略）によって、垂直位置となる通常開放状態と傾動位置となる拡大開放状態とに変化する一対の可動翼片を有する電動チューリップ型役物（普通電動役物）を備え、始動領域（第２始動領域）としての第２始動入賞口を形成する。
【００３０】
第１始動入賞口を通過（進入）した遊技球が第１始動口スイッチ（図示略）によって遊技球が検出されたことにもとづき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ（図示略）によって遊技球が検出されたことにもとづき、所定個数（例えば３個）の遊技球が賞球として払い出され、第２特図保留記憶数が所定の上限値（例えば「４」）以下であれば、第２始動条件が成立する。
【００３１】
普通入賞球装置６Ａと普通可変入賞球装置６Ｂの下方位置には、特別可変入賞球装置７が設けられている。特別可変入賞球装置７は、ソレノイド（図示略）によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３２】
大入賞口を通過（進入）した遊技球がカウントスイッチ（図示略）によって検出されたことにもとづき、所定個数（例えば１５個）の遊技球が賞球として払い出される。従って、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３３】
第２保留表示器２５Ｂの右方位置には、普通図柄表示器２０が設けられている。普通図柄表示器２０の右方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３４】
遊技盤２の遊技盤面２ａにおける遊技領域１０には、遊技球の流下方向や速度を変化させる多数の障害釘２００や風車６１やセンター飾り枠５１等の装飾物が設けられている。例えば、図２及び図３（Ａ）に示すように、普通入賞球装置６Ａの左右側方には、複数の障害釘２００が互いに近接して並設されてなる誘導釘２０１Ｌ，２０１Ｒがそれぞれ設けられている。
【００３５】
誘導釘２０１Ｌ，２０１Ｒは、左右側方から中央の普通入賞球装置６Ａに向けてそれぞれ下方に傾斜するように並設され、普通入賞球装置６Ａの第１始動入賞口に向けて遊技球を誘導する。尚、これら誘導釘２０１Ｌ，２０１Ｒのそれぞれの所定箇所には、遊技球が落下可能な渡り２０３が設けられているが、渡り２０３は設けられなくてもよい。
【００３６】
また、遊技領域１０に設けられた複数の障害釘のうち、普通入賞球装置６Ａの第１始動入賞口の近傍上方位置に設けられる複数の障害釘２００は、第１始動入賞口に向けて遊技球を誘導する指定釘２０４を構成している。各一般入賞口６０の近傍上方位置に設けられる複数の障害釘２００は、各一般入賞口６０に向けて遊技球を誘導する指定釘２０５を構成している。通過ゲート４１の上方近傍位置に設けられる複数の障害釘２００は、通過ゲート４１に向けて遊技球を誘導する指定釘２０６を構成している。風車６１の上方近傍位置に設けられる複数の障害釘２００は、風車６１に向けて遊技球を誘導する指定釘２０７を構成している。ワープ通路６２の上方近傍位置に設けられる複数の障害釘２００は、ワープ通路６２に向けて遊技球を誘導する指定釘２０８を構成している。これら各指定釘２０４〜２０８は、後述するように、遊技盤面２ａに設けられる複数の障害釘２００のうちから予め指定される障害釘であり、これら指定釘以外の障害釘２００とは内容が異なる整備が必要な障害釘とされている。
【００３７】
これら障害釘２００は、例えば、真鍮材からなり、図３（Ｂ）に示すように、直径φ１が約１．８５ｍｍ（φ１＝約１．８５ｍｍ）の円柱状の胴部２００ａ（本体部とも言う）と、該胴部２００ａの一端側に形成される直径Ｓφ２が約４．２ｍｍ（Ｓφ２＝約４．２ｍｍ）の球面状の頭部２００ｂ（釘笠とも言う）と、から構成される。障害釘２００は、遊技盤面２ａに予め形成される孔部２ｄに後述する釘打ち機１６により打設されることにより遊技盤面２ａに立設され、立設された状態において、遊技盤面２ａから頭部２００ｂまでの長さＬ１が約１６．８ｍｍ（Ｌ１＝約１６．８ｍｍ）とされている。また、胴部２００ａの他端側にはネジ溝２００ｃが形成されている。このネジ溝２００ｃによって、孔部２ｄ内に挿入された胴部２００ａと孔部２ｄの内周面との間に生じる摩擦力により障害釘２００が遊技盤２から抜け落ちることが防止されている。
【００３８】
また、障害釘２００を打設するための孔部２ｄは、図９（Ａ）に示すように、遊技盤面２ａに対して直交するＺ軸（垂線）に対し上方に向けて所定角度θ１（θ１＝約４度）傾斜して形成される。よって、障害釘２００もＺ軸（垂線）に対して頭部２００ｂ側が上方に向けて約４度傾斜して立設されるため、障害釘２００に衝突した遊技球Ｐが極力遊技盤２側に跳ね返るようにしている。
【００３９】
図３（Ｂ）に示すように、例えば、指定釘２０４を構成する左右の障害釘２００の胴部２００ａにおける基部側の離間寸法Ｌ２は約１０．５ｍｍ（Ｌ２＝約１０．５ｍｍ）とされ、先端部側の離間寸法Ｌ３は約１２ｍｍ（Ｌ３＝約１２ｍｍ）とされているため、遊技盤面２ａから頭部２００ｂに向けて左右の胴部２００ａの離間寸法が漸次広くなっている。また、遊技球Ｐの直径Ｓφは約１１ｍｍとされており（例えば、Ｓφ＝約１１ｍｍ）、遊技球Ｐが遊技盤面２ａに接触した状態で左右の障害釘２００の胴部２００ａ間を通過することができるようになっている。
【００４０】
尚、本実施例では、離間寸法Ｌ２は約１０．５ｍｍ、離間寸法Ｌ３は、指定釘２０４の約１２ｍｍとした例を示しているが、本発明はこれに限定されるものではなく、これらの寸法は遊技盤２のゲージ構成（所謂、釘配列）等に応じて種々に変更可能である。また、他の指定釘２０５〜２０８における離間寸法も、指定釘２０４とは異なる値（例えば、後述するように１１．５ｍｍ等）に、個別に設定できるようになっている。
【００４１】
図１に戻って、遊技領域１０の最下方には、いずれの入賞口にも進入しなかった遊技球が取り込まれるアウト口１１が設けられている。遊技機用枠３の左右上部位置には、効果音等を再生出力するためのスピーカ８Ｌ，８Ｒが設けられており、さらに遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００４２】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット（図示略）にて検出され、上皿９０を形成する部材に設けられたプッシュボタン３１Ｂに対してなされた押下動作はプッシュセンサ（図示略）にて検出される。
【００４３】
次に、パチンコ遊技機１の回路構成について説明する。パチンコ遊技機１の背面には、例えば図示しない主基板、演出制御基板、音声制御基板、ＬＥＤ制御基板、主基板と演出制御基板との間で伝送される各種の制御信号を中継するための中継基板、払出制御基板、情報端子基板、発射制御基板、インタフェース基板などといった、各種の基板が配置されている。
【００４４】
主基板（図示略）は、メイン側の制御基板であり、パチンコ遊技機１における遊技の進行を制御するための各種回路が搭載されている。主基板は、主として、特図ゲームにおいて用いる乱数の設定機能、所定位置に配設されたスイッチ等からの信号の入力を行う機能、演出制御基板（図示略）などからなるサブ側の制御基板に宛てて、指令情報の一例となる制御コマンドを制御信号として出力して送信する機能、ホールの管理コンピュータに対して各種情報を出力する機能などを備えている。また、主基板は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板には、例えば遊技制御用マイクロコンピュータ（図示略）や、スイッチ回路（図示略）、ソレノイド回路などの各種回路が搭載されている。
【００４５】
主基板には、通過ゲート４１を通過した遊技球を検出するゲートスイッチ、第１始動口スイッチ、第２始動口スイッチ、カウントスイッチからの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００４６】
主基板から中継基板を介して演出制御基板に対して伝送される制御コマンドは、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００４７】
主基板に搭載された遊技制御用マイクロコンピュータは、例えば１チップのマイクロコンピュータであり、遊技制御用のプログラムや固定データ等を記憶するＲＯＭ（ReadOnlyMemory）と、遊技制御用のワークエリアを提供するＲＡＭ（RandomAccessMemory１０２）と、遊技制御用のプログラムを実行して制御動作を行うＣＰＵ（CentralProcessingUnit）と、ＣＰＵとは独立して乱数値を示す数値データの更新を行う乱数回路と、Ｉ／Ｏ（Input/Outputport）と、を備えて構成される。一例として、遊技制御用マイクロコンピュータでは、ＣＰＵがＲＯＭから読み出したプログラムを実行することにより、パチンコ遊技機１における遊技の進行を制御するための処理が実行される。
【００４８】
演出制御基板（図示略）は、主基板とは独立したサブ側の制御基板であり、中継基板を介して主基板から伝送された制御信号を受信して、演出表示装置５、スピーカ８Ｌ，８Ｒ及び演出用ＬＥＤ９、その他の演出ユニット等に設けられる各種モータ、ソレノイド、センサ、発光ダイオード（ＬＥＤ）といった演出用の電気部品による演出動作を制御するための各種回路が搭載されている。
【００４９】
演出制御基板（図示略）には、プログラムに従って制御動作を行う演出制御用ＣＰＵと、演出制御用のプログラムや固定データ等を記憶するＲＯＭと、演出制御用ＣＰＵのワークエリアを提供するＲＡＭと、演出表示装置５における表示動作の制御内容を決定するための処理などを実行する表示制御部と、演出制御用ＣＰＵとは独立して乱数値を示す数値データの更新を行う乱数回路と、Ｉ／Ｏとが搭載されている。一例として、演出制御基板では、演出制御用ＣＰＵがＲＯＭから読み出した演出制御用のプログラムを実行することにより、演出用の電気部品による演出動作を制御するための処理が実行される。また、ＲＯＭには、演出制御用のプログラムの他にも、演出動作を制御するために用いられる各種のデータテーブルなどが格納されている。
【００５０】
次に、パチンコ遊技機１における遊技の進行を概略的に説明する。パチンコ遊技機１では、遊技領域１０に設けられた通過ゲート４１を遊技球が通過したことにもとづいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの拡大開放制御（傾動制御）が行われ、所定時間が経過すると垂直位置に戻る通常開放制御が行われる。
【００５１】
遊技球が第１始動入賞口に入賞したことなどにより第１始動条件が成立した後に、例えば前回の特図ゲームや大当り遊技状態が終了したことなどにより第１開始条件が成立したことにもとづいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことにもとづいて、第２特別図柄表示器４Ｂによる特図ゲームが開始される。
【００５２】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００５３】
大当り遊技状態においては、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００５４】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。
【００５５】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。リーチ状態とは、演出表示装置５の表示領域にて停止表示された演出図柄が大当り組合せの一部を構成しているときに未だ停止表示されていない演出図柄については変動が継続している表示状態、あるいは、全部または一部の演出図柄が大当り組合せの全部または一部を構成しながら同期して変動している表示状態のことである。
【００５６】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００５７】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００５８】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことにもとづく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００５９】
次に、本実施例におけるパチンコ遊技機１の動作（作用）を説明する。主基板（図示略）では、所定の電源基板からの電力供給が開始されると、遊技制御用マイクロコンピュータ（図示略）が起動し、ＣＰＵ（図示略）によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００６０】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために各種の処理が選択されて実行される。
【００６１】
特別図柄プロセス処理において、ＣＰＵは、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶装置や第２特図保留記憶装置における空きエントリの最上位に格納（記憶）する始動入賞処理を実行する。
【００６２】
また、ＣＰＵは、第１特図保留記憶装置や第２特図保留記憶装置に記憶されている保留データの有無などにもとづいて特図ゲームを開始するか否かの判定や、特図表示結果判定用の乱数値を示す数値データにもとづき、特別図柄や演出図柄の変動表示結果を「大当り」とするか否かを、その変動表示結果が導出表示される前に決定（事前決定）する特別図柄通常処理を実行する。つまり、ＣＰＵは、特図ゲームの変動表示を開始するときに、始動入賞が発生したときに記憶した乱数値にもとづいて、当該変動表示の表示結果として大当り表示結果を導出表示するか否かを決定（抽選）する処理を実行する。
【００６３】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口を開閉させる処理を行う大当り開放前処理、大当り開放中処理、大当り開放後処理、大当り終了処理を行う。
【００６４】
次に、演出制御基板（図示略）の動作を説明する。先ず、演出制御用ＣＰＵは、電源が投入されると、メイン処理の実行を開始する。メイン処理においてタイマ割込が発生すると、コマンド解析処理、演出制御プロセス処理、演出用乱数更新処理を実行する。
【００６５】
演出制御プロセス処理では、演出表示装置５の第１保留記憶表示エリア５Ｄ及び第２保留記憶表示エリア５Ｕでの保留記憶表示を、保留記憶バッファの記憶内容に応じた表示に更新する保留表示更新処理を実行する。次いで、演出制御プロセスフラグの値に応じて、遊技制御用マイクロコンピュータから変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、演出表示装置５の表示制御、スピーカ８Ｌ，８Ｒからの音出力、演出用ＬＥＤ９の発光及び演出ユニット（図示略）の駆動制御等を行う演出図柄変動中処理、演出図柄の変動を停止し表示結果（停止図柄）を導出表示する制御を行う演出図柄変動停止処理を行う。
【００６６】
大当り表示処理においては、変動時間の終了後、演出表示装置５に大当りの発生を報知するための画面を表示する制御を行う。大当り遊技中処理においては、大当り遊技中の制御を行う。大当り終了演出処理においては、演出表示装置５において、大当り遊技状態が終了したことを遊技者に報知する表示制御を行う。
【００６７】
次に、各パチンコ遊技機１に装着される遊技盤２の製造方法について、図面にもとづいて説明する。図４は、遊技盤の製造ラインの一部を示す平面図である。図５は、遊技盤の製造システムの構成を示すブロック図である。尚、本実施例では、製造ライン１２にて製造可能な遊技盤２は、種別｛例えば、材質（ベニヤはたはアクリル板）、搭載するパチンコ遊技機１の機種、バージョン（例えば、大当り確率などのスペック等）等｝が異なる複数種類の遊技盤２を含む。
【００６８】
図４に示す製造ライン１２は、主に釘打ちと後述する釘整備の工程を行う部分であり、遊技盤２を投入する投入口として、ベニヤ板を投入するための投入口Ａ、合成樹脂板を投入するための投入口Ｂ、の２つの投入口が設けられている。
【００６９】
製造ライン１２の投入口Ａの上流側（図４中左側）には、ベニヤ板を切削や穴あけ加工を施して所定の形状とするための図示しないリュータ加工装置や、遊技盤２に下穴を加工する作業を行うための図示しない下穴加工装置等が配置されている。
【００７０】
また、投入口Ｂからは、遊技盤２の厚みがベニヤ板と同じとするためのスペーサ部材が背面に組付けられた合成樹脂板が投入される。
【００７１】
投入口Ａには、第１二次元コードマーキング装置１４ａが設けられており、後述する二次元コード１５ａが印刷されたシールが、投入されるベニヤ板に貼着される。
【００７２】
また、投入口Ｂにも、第２二次元コードマーキング装置１４ｂが設けられており、後述する二次元コード１５ａが印刷されたシールが、投入される合成樹脂板に貼着される。
【００７３】
尚、本実施例では、これら二次元コード１５ａが印刷されたシールを貼着する第１二次元コードマーキング装置１４ａや第２二次元コードマーキング装置１４ｂを設けた形態を例示しているが、本発明はこれに限定されるものではなく、これらの二次元コード１５ａが印刷されたシールを、作業員が貼着するようにしてもよい。また、既に、管理用の二次元コード１５ａが印刷されたシールが貼着されたベニヤ板や合成樹脂板を使用する場合には、これら第１二次元コードマーキング装置１４ａや第２二次元コードマーキング装置１４ｂを省いた構成としてもよい。
【００７４】
尚、投入口Ｂには、や第２二次元コードマーキング装置１４ｂとともに、合成樹脂板の表面に貼着されている保護フィルムを剥離する際に生じる静電気を除去するためのイオナイザー装置１８が設けられている。
【００７５】
各製造ラインには、複数台の釘打ち機１６、釘供給機１９、第１釘検査装置１７Ａ、複数台の障害釘整備装置３００、第２釘検査装置１７Ｂが下流側に向けて順にそれぞれ配置されている。また、第２釘検査装置１７Ｂの下流には、ガイドレール２ｂや風車の取付けや、パチンコ遊技機１の遊技機用枠３への組付けを行う図示しない作業場が配置されている。尚、各種装置には、後述する二次元コード１５ａを読み取る図示しない読み取り用カメラが設けられている。
【００７６】
第１二次元コードマーキング装置１４ａに搬送される遊技盤２は、第１二次元コードマーキング装置１４ａにて二次元コード１５ａが印刷されたシール１５が貼付される前に、図示しないセンサにより遊技盤２に所定以上の粉塵が付着しているか否かを判断される。所定以上の粉塵が付着していないと判断された遊技盤２は、そのまま第１二次元コードマーキング装置１４ａにてシール１５が貼付され、所定以上の粉塵が付着していると判断された遊技盤２は、図示しない粉塵除去装置によって粉塵が除去された後、第２二次元コードマーキング装置１４ｂにてシール１５が貼付される。
【００７７】
図５に示すように、製造ライン１２を構成する上記各種装置は、製造ライン１２を制御する管理コンピュータ５００とデータ通信可能に接続されている（図５参照）。
【００７８】
管理コンピュータ５００は、図５に示すように、データバス５０１に、制御プログラムにもとづいて各種の処理を行うＣＰＵ（中央演算処理回路）５０２、ＲＡＭ５０３、時間情報等を出力可能なリアルタイムクロック（ＲＴＣ）５０４、各遊技盤２毎に付与されたシリアル番号に対応付けて各遊技盤２の種別（ベニア板、合成樹脂板）、障害釘整備装置３００により障害釘２００を整備するための整備データ、整備履歴情報（遊技盤２が関わった釘打ち機１６や障害釘整備装置３００を特定可能な情報や整備内容を示す情報など）、標準整備による補正データ（図２３参照）等が記憶される記憶装置５０５、キーボードやマウス等の入力装置５０６、ディスプレイ等の表示装置５０７、図２７に示す釘間測定書等の各種印刷物を出力可能なプリンタ５０８、各種装置とのデータ通信を行うための通信部５０９と、が接続されたコンピュータであり、接続される各種装置の動作制御を行うとともに、各遊技盤２に対応する整備データを各種装置へ送信する処理や、各遊技盤２毎の整備関連情報として図２２に示す釘間測定書を出力可能とされている。
【００７９】
管理コンピュータ５００は、製造ラインに設置されている第１二次元コードマーキング装置１４ａ、第２二次元コードマーキング装置１４ｂ、各釘打ち機１６、各釘供給機１９、各第１釘検査装置１７Ａ、各障害釘整備装置３００、各第２釘検査装置１７Ｂ等の各種装置がデータ通信可能に有線接続されている。
【００８０】
釘打ち機１６には、遊技盤２に実際に障害釘２００を打設する打設装置だけではなく、図５に示すように、搬送装置１３から遊技盤２を取り出すためのロボットアーム装置、二次元コード１５ａを読み取るための読み取り用カメラ、雰囲気の温湿度と遊技盤２の温度を測定可能な温湿度センサ、釘打ち機１６の動作を、管理コンピュータ５００からの指示（動作データ）によりコントロールする制御ユニット１６’等が設けられており、ロボットアーム装置にて搬送装置１３から取り出した遊技盤２に貼着されている二次元コード１５ａから読み取った読み取りデータを、当該装置を識別可能な装置識別情報である装置番号とともに管理コンピュータ５００に送信可能とされているとともに、打設時において温湿度センサにて測定した雰囲気の温湿度と遊技盤２の温度等のデータを、装置番号とともに管理コンピュータ５００に送信できる。
【００８１】
また、同様に、整備装置３００にも、遊技盤２に打設された障害釘２００を整備する釘矯正装置だけではなく、図５に示すように、搬送装置１３から遊技盤２を取り出すためのロボットアーム装置、二次元コード１５ａを読み取るための読み取り用カメラ、雰囲気の温湿度と遊技盤２の温度を測定可能な温湿度センサ、整備装置３００の動作を、管理コンピュータ５００からの指示（整備データ）によりコントロール（制御）する制御ユニット３００’等が設けられており、ロボットアーム装置にて搬送装置１３から取り出した遊技盤２に貼着されている二次元コード１５ａから読み取った読み取りデータを、当該装置の装置番号とともに管理コンピュータ５００に送信可能とされているとともに、整備時において温湿度センサにて測定した雰囲気の温湿度と遊技盤２の温度等のデータを、装置番号とともに管理コンピュータ５００に送信できるようになっている。
【００８２】
尚、図５には示していないが、ベニヤ板や合成樹脂板は、温度や湿度により伸縮するので、各第１釘検査装置１７Ａ並びに各第２釘検査装置１７Ｂにも、雰囲気の温湿度と遊技盤２の温度を測定可能な温湿度センサや二次元コード１５ａを読み取るための読み取り用カメラが設けられていて、測定対象の遊技盤２の二次元コード１５ａの読み取りデータや温湿度センサにて測定した検査時のデータを、装置番号とともに管理コンピュータ５００に送信できるようになっている。
【００８３】
次に、パチンコ遊技機１における遊技盤２の製造工程の大まかな流れについて説明する。図６は、遊技盤の製造工程の大まかな流れを示すフローチャートである。尚、以下の製造工程において、所定の工程を終了した遊技盤２は、次の工程を行うための装置まで搬送装置１３にて搬送されるようになっている（図４参照）。
【００８４】
まず、遊技盤２を構成する所定の大きさの合成樹脂板（例えば、アクリル板等）やベニヤ板に、リュータ加工装置などにより切削や穴あけ加工を施して所定の形状とした後、遊技盤面２ａにセルシートを貼付する。次いで、釘や風車などの打ち込み作業時の位置ずれを減らすために、遊技盤２の種別に対応するゲージデータ（釘配列データ）に応じて成形された金属製のゲージ板（図示略）により、遊技盤面２ａに下穴を加工する作業を行う（工程Ｓ１）。尚、本実施例では、投入口Ｂから投入される合成樹脂板（例えば、アクリル板等）は、予め合成樹脂板のメーカー側において切削や穴あけ加工並びに下穴加工が施されたものとされている。
【００８５】
遊技盤面２ａに下穴が形成された遊技盤２は、第１二次元コードマーキング装置１４ａまたは第２二次元コードマーキング装置１４ｂにて、図１７に示すように、ゲージデータ（釘配列データ）や整備動作（後述する整備データ）等を特定可能なゲージ番号１５ｄ、遊技盤２の材質を示す材質コード、遊技盤２の機種を示す機種コード１５ｂ、同一機種のバリエーション等の機種補助情報を示すサブコード、遊技盤２の製造番号（固有のＩＤ）を示すシリアル番号１５ｃ、生産会社区分コード、従来から使用されているバーコードとのデータを利用可能とするためのバーコード情報１５ｆ、遊技盤２の背面に貼着されるセルシートの種別を特定可能なセル番号１５ｅ、後述するシール１５に印刷された日時を示す印刷日付コード等をシンボル化した個別の二次元コード１５ａを含む各種コードを印刷してシール１５を貼付する作業を行う（工程Ｓ２）。尚、本実施例では、二次元コード１５ａにシンボル化される情報に、該シール１５が貼付される遊技盤２に障害釘２００を打設する釘打ち機１６を示す釘打ち機コードを含めていないが、予め遊技盤２に障害釘２００をラインに投入する前に事前に決定する場合には、これら釘打ち機コードを含む二次元コード１５ａとしても良く、これら二次元コード１５ａにシンボル化される情報の種類は、適宜に決定すればよい。
【００８６】
尚、本実施例の製造ライン１２では、種別が異なる遊技盤２を製造できるようになっており、遊技盤２の種別によって釘配列や障害釘２００の整備内容が異なっている。よって、製造ライン１２に設けられた各種装置は、シール１５に印刷された二次元コード１５ａを読み取り用カメラ（図示略）により読み取り、この読み取ったシリアル番号と装置番号とを管理コンピュータ５００に送信する。シリアル番号を受信した管理コンピュータ５００では、該シリアル番号に対応する整備データ、つまり、シリアル番号から特定される遊技盤２に対応する整備データを記憶装置５０５から抽出し、受信した装置番号から特定される送信元の装置に対して該抽出した整備データを送信する。そして各種装置では、管理コンピュータ５００から受信した整備データにもとづいて釘打ちや整備が行なわれる。尚、製造ライン１２では、後述する釘打ち（工程Ｓ３）、第１整備（工程Ｓ５）、第２整備（工程Ｓ７）等において、釘打ち機１６による釘打ちや障害釘整備装置３００による整備に不良が生じることがある。
【００８７】
製造ライン１２では、供給側の搬送装置１３と、排出側の搬送装置１３とが並行して配置されており、各釘打ち機１６や各障害釘整備装置３００は、前述したロボットアーム装置によって供給側の搬送装置１３から遊技盤２を任意に取り出して打設または整備し、その後、打設または整備済みの遊技盤２を排出側の搬送装置１３に戻す仕様とされており、複数のうちいずれの装置で釘整備や釘打ちが行われるかを予め決定していないため、記憶装置５０５に各遊技盤２の整備履歴を記憶することで、各遊技盤２の製造に関わった装置を特定できるようにしている。この整備履歴情報が蓄積されていくと、各種装置のうちいずれで整備不備が多く発生しているかを特定することができるようになるため、製造ライン１２に設置された複数の装置のメンテナンス作業を簡便に行うことが可能とされている。
【００８８】
また、記憶装置５０５に各遊技盤２の整備履歴を記憶することで、製造工程の最終段階や納品後に障害釘の不具合が見つかった場合、当該遊技盤２の整備履歴を参照し、当該遊技盤２の製造に関わった装置、つまり、不具合の可能性がある装置を特定することができるため、この不具合の可能性がある装置により新たな遊技盤２の整備等が行われてしまうことがないように、装置の駆動を直ちに停止してメンテナンス作業を行うなど、早期のうちに対処することが可能となる。
【００８９】
また、工程Ｓ２では、二次元コード１５ａが印刷されたシール１５を盤面板２Ａの下部（例えば、パチンコ遊技機１に装着されたときに外部から露見しない位置。本実施例では、右側下部位置）に貼付する作業が行われる（図２参照）。また、シール１５には、製造ライン１２の所定位置（例えば、各釘打ち機１６、各障害釘整備装置３００、第１釘検査装置１７Ａ、第２釘検査装置１７Ｂ）に設けられた読み取り用カメラにより読み取られる二次元コード１５ａの他に、作業者が目視にて確認できるように、印刷日付１５ｇ、機種コード１５ｂ、シリアル番号１５ｃ、ゲージ番号１５ｄ、セル番号１５ｅ、バーコード情報１５ｆ等がアルファベットや数字、記号等にて表記されている（図１７参照）。
【００９０】
尚、本実施例では、工程Ｓ１を経て第１二次元コードマーキング装置１４ａへ遊技盤２を搬送する順序が、該搬送において変更されることがないため、第１二次元コードマーキング装置１４ａにおいて遊技盤２の種別を特定する必要がない形態としているが、本発明はこれに限定されるものではなく、予め、工程Ｓ１において、遊技盤２にシリアル番号を特定可能な１次元コード等を貼付しておき、第１二次元コードマーキング装置１４ａにて１次元コードから特定されるシリアル番号にもとづいて遊技盤２の種別を特定できるようにしてもよい。
【００９１】
また、本実施例では、二次元コード１５ａが印刷されたシール１５が盤面板２Ａに貼付され、二次元コード１５ａを読み取り用カメラ（読取装置）により読み取ることができるようになっているが、本発明はこれに限定されるものではなく、上記した各種情報が記憶されたＩＣチップを含むシールを貼付し、ＩＣチップに記憶された情報を所定の読取装置にて読取可能とてもよい。
【００９２】
盤面板２Ａに二次元コード１５ａのマーキング作業が終了したら、釘打ち機１６にて下穴に複数の障害釘２００を工程Ｓ１にて加工された各下穴に打ち込む作業を行う（工程Ｓ３）。尚、釘打ち機１６は、障害釘２００の打ち込み作業が終了したら、当該釘打ち機１６の装置番号とともに、読み取り用カメラにより読み取った二次元コード１５ａの読み取りデータと当該作業時の温湿度等の情報を釘打ち作業完了データとして管理コンピュータ５００に送信する。そして、第１釘検査装置１７Ａにて遊技盤面２ａに打ち込まれた障害釘２００を後述する複数のカメラ４４により撮影し（図１６参照）、該撮影した画像データにもとづいて、各障害釘２００が遊技盤面２ａに対し直交するＺ軸方向に対する傾き（頭部２００ｂの配置位置座標など）、障害釘２００の有無、釘曲り、錆、変色などを検査する釘画像検査を行う（工程Ｓ４）。第１釘検査装置１７Ａは、検査が終了したら、一次検査結果データを、第１釘検査装置１７Ａの装置番号と、該遊技盤２の二次元コード１５ａの読み取りデータとともに管理コンピュータ５００へ送信する。
【００９３】
一次検査結果データを受信した管理コンピュータ５００（ＣＰＵ５０２）は、受信した一次検査結果データにもとづいて、各障害釘２００が遊技盤面２ａに対し直交するＺ軸方向に対し上方に約４度傾斜しているか否かを、遊技盤２に対応するゲージデータから特定される各障害釘２００の頭部２００ｂの設定位置に対するＸＹ軸方向への位置ずれ方向及び位置ずれ量から判定する。各障害釘２００の頭部２００ｂの設定位置（座標位置）は、障害釘２００が下穴に正確に打ち込まれたときに頭部２００ｂが配置される位置であり、遊技盤２の種別に応じたゲージデータとして管理コンピュータ５００の記憶装置５０５に記憶されている。
【００９４】
また、各設定位置に対しては、ＸＹ軸方向の誤差を考慮した許容範囲（精度）が設定されており、頭部２００ｂがこの許容範囲外に配置されている場合に異常（不良）と判定するとともに、設定位置からのずれ方向やずれ量が特定されるようになっている。尚、この許容範囲は、後述するように各障害釘２００毎に所望の値に設定できるようになっている（図１８，図１９参照）。
【００９５】
一次検査結果データを受信した管理コンピュータ５００（ＣＰＵ５０２）は、工程Ｓ３にて打ち込まれた障害釘２００のうち、工程Ｓ４の検査により頭部２００ｂの設定位置に対するＸＹ軸方向へずれが許容範囲外にあると判定された障害釘２００を対象として、該障害釘２００の頭部２００ｂを設定位置の許容範囲内に配置するための第１整備データを作成し、該第１整備データを、受信した一次検査結果データに含まれる二次元コード１５ａの読み取りデータ中のシリアル番号１５ｃに対応付けて記憶する。尚、該第１整備データは、当該シリアル番号１５ｃの二次元コード１５ａのシールが貼着された遊技盤２を搬送装置１３から取り出した障害釘整備装置３００から、当該シリアル番号１５ｃを含む読み取りデータが送信されてきたときに、該障害釘整備装置３００へ送信（返信）されて、該第１整備データにもとづいた整備が指示される。
【００９６】
障害釘整備装置３００では、管理コンピュータ５００から受信した第１整備データにもとづき、工程Ｓ４で異常が検知された障害釘２００を対象とした第１整備を行う（工程Ｓ５）。該第１整備が完了したときには、該障害釘整備装置３００の装置番号とともに、二次元コード１５ａの読み取りデータと第1整備の実行時の温湿度情報等を含む第1整備完了データが管理コンピュータ５００に送信されることで、管理コンピュータ５００に第1整備が完了したこと、並びに該第1整備を実行した障害釘整備装置３００の装置番号や温湿度情報等の第1整備に関する情報が送信される。
【００９７】
そして、これら第１整備後の障害釘２００について、各障害釘２００が遊技盤面２ａに対し直交するＺ軸方向に対し上方に約４度傾斜しているか否かを、頭部２００ｂの設定位置に対するＸＹ軸方向への位置ずれ方向及び位置ずれ量などにもとづいて判定する第１検査を行い、該第１検査の検査結果が、該障害釘整備装置３００の装置番号と、二次元コード１５ａの読み取りデータとともに第１検査完了データとして管理コンピュータ５００に送信される。尚、これら第１検査は、本実施例においては、後述する第２検査と同様に、検査用工具６００を用いて障害釘整備装置３００にて行われるが、本発明はこれに限定されるものではなく、これら第１検査を第２釘検査装置１７Ｂにて行うようにしてもよい。
【００９８】
尚、本実施例では、第1整備完了データと第１検査完了データとを個別にて管理コンピュータ５００に送信しているが、本発明はこれに限定されるものではなく、これらを第１検査の完了時にまとめて送信するようにしてもよい。
【００９９】
この第１整備（Ｓ５）と第１検査（Ｓ６）とは、第１整備後の障害釘２００の頭部２００ｂが全て設定位置の許容範囲内に配置されるまで繰返し行われる（Ｓ６＋）。但し、再度の第１整備によって許容範囲内に配置された障害釘２００は、再度の第１整備の対象から除外されていくため、第１整備が繰返し実行されていくに従って、整備対象の障害釘２００の数は徐々に減少していくことになる。
【０１００】
これら繰返しの再整備の際には、第１検査の検査結果にもとづいて、再度、第１整備データが管理コンピュータ５００において作成され、該作成された第１整備データにもとづいて釘整備が実行される。尚、第1整備完了データも、第１整備が繰り返し行われる毎に管理コンピュータ５００に送信される。
【０１０１】
尚、これら管理コンピュータ５００において作成される第１整備データによる整備内容は、第１検査において許容範囲内にないと判定された回数（検査ＮＧ回数）に応じて、順次異なる整備内容となるように設定されている。具体的には、図６に示すように、検査ＮＧ回数が１回目の場合には、原則として、検査ＮＧと判定された障害釘２００の整備量（変形量）を、該検査ＮＧと判定される前の第１整備における整備量（変形量）とは異なる整備量（変形量）に変更した整備内容とされる。また、検査ＮＧ回数が２回目の場合には、原則として、検査ＮＧと判定された障害釘２００の整備に使用した工具とは異なる工具に変更した整備内容とされる。また、検査ＮＧ回数が３回目の場合には、原則として、検査ＮＧと判定された障害釘２００の整備に使用した障害釘整備装置３００とは異なる障害釘整備装置３００に変更した整備内容とされる。つまり、検査ＮＧ回数が２回目に対応する工具を変更した第１整備が実行された場合には、該第１整備を実行した障害釘整備装置３００は、該第１整備を実行した障害釘２００を有する遊技盤２をロボットアーム装置にて搬送装置１３に投入し、該投入された遊技盤２をロボットアーム装置にて搬送装置１３にから取り出した他の障害釘整備装置３００によって第１整備が実行される。そして、このように他の障害釘整備装置３００によって第１整備が実行された後の第１検査において検査ＮＧと判定された場合には、該遊技盤２は製造ラインからの排出対象に設定される。具体的には、該検査ＮＧと判定した障害釘整備装置３００においてロボットアーム装置にて製造ライン外に排出される。
【０１０２】
つまり、本実施例の管理コンピュータ５００は、第１検査で検査ＮＧの障害釘２００があった場合には、図６に示すように、１回目から３回目までの、最初の整備とは整備内容が異なる再整備を行うための第１整備データを送信する。
【０１０３】
尚、本実施例では、第１整備においては、工程Ｓ４の釘画像検査において異常が検知された障害釘２００のみを対象として整備を行うようにしているが、本発明はこれに限定されるものではなく、異常の有無に関係なく、全ての障害釘２００を対象として第１整備を行うようにしてもよい。
【０１０４】
第１検査において検査ＮＧの障害釘２００が無い（Ｓ６＋でＮ）と判定された場合には、該遊技盤２は、ロボットアーム装置によって搬送装置１３に戻される。そして、搬送装置１３に戻された該遊技盤２は、他の障害釘整備装置３００のロボットアーム装置によって搬送装置１３から取り出され、複数の障害釘のうち遊技盤２の種別に応じて予め指定した障害釘２００（例えば、指定釘２０４〜２０８など）を対象として該障害釘２００の頭部２００ｂを指定位置の許容範囲内に配置するための第２整備が実施される。つまり、第１検査を終了した遊技盤２を搬送装置１３から取り出した障害釘整備装置３００に対して管理コンピュータ５００は、複数の障害釘のうち遊技盤２の種別に応じて予め指定した障害釘２００（例えば、指定釘２０４〜２０８など）を対象として、該障害釘２００の頭部２００ｂを指定位置の許容範囲内に配置するための第２整備データを送信して第２整備の実行を指示する。該第２整備データを受信した障害釘整備装置３００は、受信した第２整備データにもとづいて指定釘２０４〜２０８を対象とした第２整備を行う（工程Ｓ７）。
【０１０５】
このように、本実施例では、第１整備を行った障害釘整備装置３００とは異なる障害釘整備装置３００において第２整備を行うことで、障害釘整備装置３００の違いよる整備精度の偏りを防ぐことができるようにしているが、本発明はこれに限定されるものではなく、これら第１整備と第２整備とを同一の障害釘整備装置３００が行うようにしてもよい。
【０１０６】
詳しくは、第２整備は、例えば、指定釘２０４〜２０８それぞれにおける一対の障害釘２００の間隔が所望の寸法となるように基部側から頭部２００ｂ側に向けて漸次広げ（図３（Ｂ）及び図９（Ｂ）参照）、頭部２００ｂを設定位置とは異なる指定位置に配置する整備とされている。また、その他、各障害釘２００の傾斜角度、傾斜方向、他の障害釘２００との配置態様などを変えるための整備等も含み、工程Ｓ５の第１整備にて整備されたか否かに関わらず行われる。
【０１０７】
また、各指定位置に対しては、ＸＹ軸方向の誤差を考慮した許容範囲（精度）が設定されており、頭部２００ｂが許容範囲外に配置されている場合に異常と判定するとともに、指定位置からのずれ方向やずれ量が特定されるようになっている。尚、この許容範囲は、後述するように、各障害釘２００毎に所望の値に設定できるようになっている（図１８，図１９参照）。
【０１０８】
これら指定釘２０４〜２０８は、遊技盤面２ａに打ち込まれる複数の障害釘２００のうち、特に、遊技価値の付与に関連する各入賞口や通過ゲート４１への遊技球の進入確率に関わるものであり、僅かな誤差やずれなどによってパチンコ遊技機１のベース値などにも影響を及ぼす可能性が高い障害釘である。また、遊技盤２の種別に応じて各障害釘２００の傾斜角度、傾斜方向、他の障害釘２００との配置態様が変わるものである。尚、この指定釘は、後述するように、各遊技盤２毎に所望の障害釘２００を指定できるようになっている（図２０参照）。
【０１０９】
このように、第１整備は、工程Ｓ３において遊技盤面２ａに打ち込まれた複数の障害釘２００のうち、工程Ｓ４で異常が検知された障害釘２００を対象とし、該異常があった障害釘２００の頭部２００ｂを設定位置の許容範囲内に配置する作業を含むのに対し、第２整備は、予め定められた指定された障害釘（例えば、指定釘２０４〜２０８）を対象とし、該指定された障害釘２００の頭部２００ｂを指定位置の許容範囲内に配置する作業を含む。つまり、第２整備及び該第２整備を行う工程Ｓ７では、第１整備及び該第１整備を行う工程Ｓ５とは内容が異なる整備を行う。
【０１１０】
また、第２整備は、釘打ち機１６による釘打ち工程において一様にはできないまたは困難な整備であって、第１整備よりも精度が高い繊細な作業を必要とするため、他の障害釘２００を対象とする第１整備とは別個に行うことで、障害釘２００の整備作業を効率よく行える。また、指定釘２０４〜２０８を対象とする第２整備が必要のない種類の遊技盤２にあっては、工程Ｓ７の第２整備を省略してもよい。
【０１１１】
そして、これら指定釘２０４〜２０８の障害釘２００を対象とした第２整備を行った後に、後述する検査用工具６００を用いて、第２釘検査装置１７Ｂによる最終検査（工程Ｓ９）とは異なる方法で、指定釘２０４〜２０８の障害釘２００が指定位置の許容範囲内に配置されたか否かを判定する第２検査を行う。この第２検査と第２整備とは、第２整備後の障害釘２００の頭部２００ｂが指定位置の許容範囲内に配置されるまで繰返し行われる（Ｓ８＋）。但し、再度の第２整備によって許容範囲内に配置された障害釘２００は、再度の第２整備の対象から除外されていくため、第２整備が繰返し実行されていくに従って、整備対象の障害釘２００の数は徐々に減少していくことになる。
【０１１２】
尚、これら第２検査は、本実施例においては、第１検査と同様に、検査用工具６００を用いて障害釘整備装置３００にて行われるが、本発明はこれに限定されるものではなく、これら第２検査を第２釘検査装置１７Ｂにて行うようにしてもよい。
【０１１３】
これら繰返しの整備の際には、第２検査の検査結果にもとづいて、再度、第２整備データが管理コンピュータ５００において作成され、該作成された第２整備データにもとづいて釘整備が実行される。尚、第２整備完了データも、第２整備が繰り返し行われる毎に管理コンピュータ５００に送信される。
【０１１４】
尚、これら管理コンピュータ５００において作成される第２整備データによる整備内容は、第２検査において許容範囲内にないと判定された回数（検査ＮＧ回数）に応じて、順次異なる整備内容となるように設定されている。つまり、前述した第１整備と同様の規則に従って異なる内容の整備が実行される。具体的には、図６に示すように、検査ＮＧ回数が１回目の場合には、原則として、整備量（変形量）を変更した整備内容とされ、検査ＮＧ回数が２回目の場合には、原則として、異なる工具に変更した整備内容とされ、検査ＮＧ回数が３回目の場合には、原則として、異なる障害釘整備装置３００に変更した整備内容とされ、検査ＮＧ回数が４回目の場合には、排出対象に設定されて製造ライン外に排出される。
【０１１５】
つまり、本実施例の管理コンピュータ５００は、第２検査で検査ＮＧの障害釘２００があった場合には、図６に示すように、１回目から３回目までの、最初の整備とは整備内容が異なる再整備を行うための第２整備データを送信する。
【０１１６】
上記のように、指定釘２０４〜２０８を対象とした第２整備及び第２検査が完了した場合には、該第２整備を行った障害釘整備装置３００は、装置番号とともに、読み取り用カメラにて読み取った二次元コード１５ａの読み取りデータと第２整備及び第２検査の実行時の温湿度情報と第２検査の検査結果情報（第２検査結果情報）とを含む第２整備完了データを管理コンピュータ５００に送信することで、管理コンピュータ５００に第２整備及び第２検査が完了したこと、並びに該第２整備を実行した障害釘整備装置３００の装置番号や温湿度情報や第２検査の検査結果情報等の第２整備に関する情報を送信する。
【０１１７】
第２検査において検査ＮＧの障害釘２００が無い（Ｓ８＋でＮ）と判定された場合には、該第２検査が行われた遊技盤２は、ロボットアーム装置によって、排出側の搬送装置１３に投入されて第２釘検査装置１７Ｂに搬送され、該第２釘検査装置１７Ｂにおいて全ての障害釘２００を対象として、各障害釘２００の頭部２００ｂが設定位置にあるか否かの最終検査を行う（工程Ｓ９）。尚、本実施例では、工程Ｓ９において、遊技盤２の全ての障害釘２００の位置を検査するようにしているが、本発明はこれに限定されるものではなく、指定釘２０４〜２０８のみを検査するようにしてもよい。また、工程Ｓ９にて異常が検知された遊技盤２は、製造ライン１２から取り出され、製造ライン１２とは別の障害釘整備装置３００等により再度整備され、該再整備が完了した場合にも、該再整備を行った障害釘整備装置３００から第２整備完了データが管理コンピュータ５００に送信される。
【０１１８】
第２釘検査装置１７Ｂにおける最終検査において異常がなければ、ガイドレール２ｂや風車６１を遊技盤面２ａに形成された下穴を利用して取付ける作業を行う（工程Ｓ１０）。そして、センター飾り枠５１、各種入賞装置など他の遊技用部材を取付けた後、パチンコ遊技機１の遊技機用枠３に組付けられる（工程Ｓ１１）。最後に、完成したパチンコ遊技機１は梱包されて出荷される（工程Ｓ１２）。
【０１１９】
次に、本実施例の障害釘整備装置３００について、図７〜図１５にもとづいて説明する。図７は、障害釘整備装置を示す右側面図である。図８は、障害釘整備装置を示す平面図である。図９は、（Ａ）は、挟持部が釘の基端部側に配置された状態を示す右側面、（Ｂ）は、（Ａ）の状態から釘整備を行った状態を示す縦断面図である。図１０は、遊技盤２を保持、固定する昇降クランプ３２０のクランプ制御パターンを示す図である。図１１は、整備内容とクランプパターンとの関係を示す図である。図１２は、整備に用いられる各種工具の一例を示す図である。図１３の（Ａ）は、指定釘の検査用工具を示す右側面図、（Ｂ）は、検査用工具を示す正面図、（Ｃ）は、検査用工具を示す底面図である。図１４は、検査用工具による指定釘の植設状態の検査を示す概要図である。図１５は、（Ａ）は、検査用工具の基点を検査開始位置に配置した状態を示す横断面図、（Ｂ）は、第２当接辺が障害釘に当接した状態を示す横断面図、（Ｃ）は、障害釘に当接する位置に検査用工具の基点を配置した状態を示す横断面図である。
【０１２０】
尚、以下においては、障害釘整備装置３００について、説明の便宜上、パチンコ遊技機１の上下左右方向を基準とせず、図７及び図８の上下左右方向を基準として説明する。また、遊技盤２は、パチンコ遊技機１に組付けた状態における上側を、図７及び図８において前側に向けた状態で水平に載置したものとする。
【０１２１】
図７及び図８に示すように、本実施例における障害釘整備装置３００は、障害釘２００を整備する整備用アーム３０１と、整備の対象となる障害釘２００が打設された遊技盤２を水平に載置するテーブル３０２と、から主に構成される。尚、障害釘整備装置３００は、前述したように、搬送装置１３からの遊技盤２の取り出しおよび投入を行うためのロボットアーム装置等を含むが、以下の説明においては、これらロボットアーム装置等を省いた釘矯正装置を障害釘整備装置３００として説明する。
【０１２２】
整備用アーム３０１は、床面上に載置される基台３１０と、基台３１０に対し垂直方向を向く回動軸Ｔ１を中心として回動可能に設けられた回転台３１２と、回転台３１２に対し水平方向を向く回動軸Ｔ２を中心として回動可能に設けられた第１アーム３１３と、第１アーム３１３の先端に水平方向を向く回動軸Ｔ３を中心として回動可能に設けられた第２アーム３１４と、第２アーム３１４の前端に水平方向を向く回動軸Ｔ４を介して回動可能に設けられた第３アーム３１５と、第３アーム３１５の先端に水平方向を向く回動軸Ｔ５を中心として回動可能に設けられた第４アーム３１６と、第４アーム３１６の先端に設けられ後述する整備用工具４００を取付け可能なヘッド３１７と、ヘッド３１７に取付けられる整備用工具４００と、を主に有する。
【０１２３】
このように、多関節アームにて構成される整備用アーム３０１は、前述した管理コンピュータ５００に接続され、該管理コンピュータ５００（ＣＰＵ５０２）からの指令にもとづいて、基台３１０及び各アームに内蔵されたモータ等の駆動源（図示略）が駆動することにより、整備用工具４００を遊技盤面２ａに沿う水平方向（前後左右方向、ＸＹ軸方向）や、遊技盤面２ａに対し直交する垂直方向（上下方向、Ｚ軸方向）に移動させたり、Ｚ軸に対し傾倒させたりすることができるようになっている。
【０１２４】
尚、本実施例では、整備用工具４００を動作させる動作手段の一例である整備用アーム３０１は、多関節アームにて構成されるが、本発明はこれに限定されるものではなく、整備用工具４００をＸＹ軸方向やＺ軸方向へ移動させたり、Ｚ軸に対し傾倒させたりすることができるものであれば、多関節アーム以外のマニピュレータにて構成されていてもよい。
【０１２５】
テーブル３０２の上面には、遊技盤２の所定箇所（本実施例では、遊技盤２の周囲の４カ所）に形成されている各ガイド孔に挿通可能なガイドピンが立設されており、該ガイド孔にガイドピンが挿通するように図示しないロボットアーム装置によって遊技盤２がテーブル３０２上に載置される。そして、テーブル３０２の一方の側方縁部には、テーブル３０２の左右方向に移動可能とされ、テーブル３０２に載置された遊技盤２を左方向に押すことが可能なスライドクランプ３３０が設けられており、図８に示すように、スライドクランプ３３０がテーブル３０２に載置された遊技盤２を左方向に押すことにより、ガイド孔に挿通されたガイドピンが、ガイド孔の右側の側面に当接するようになることで、ガイド孔とガイドピンとの間隙（あそび）による位置ずれの発生を抑えることができるようになっている。
【０１２６】
また、テーブル３０２の上面には、図８に示すように、前方右隅部位置に、位置ズレ検出用の検出用ピンＧを装着する装着部が設けられている。該装着部に装着される検出用ピンＧは、中央にくびれ部を有しており、上部を前後左右に移動させると容易に折れる構造とされており、該検出用ピンＧよりも少し大径な挿通孔を有する位置ズレ確認工具４００’に整備用工具４００を交換して、整備用アーム３０１により検出用ピンＧが装着されている装着部の位置に合わせて位置ズレ確認工具４００’を垂直に降下させていくことにより、位置ズレが生じていない場合には、検出用ピンＧは折れないが、位置ズレが生じている場合には、検出用ピンＧが折れて、位置ずれが生じていることを容易に認識できるようになっている。尚、位置ずれが生じている場合には、所定の修正処理を行って位置ずれを修正する。
【０１２７】
また、テーブル３０２の上部両側縁部には、図８に示すように、スライド機構３４０によって前後方向に移動可能に設けられた１対の昇降クランプ３２０が設けられており、テーブル３０２の上面において、障害釘２００が上方を向くように遊技盤面２ａを上向きにした状態で、障害釘２００の上方から遊技盤２を押さえることによりテーブル３０２との間に挟持して、テーブル３０２に遊技盤２を保持、固定できるようになっている。
【０１２８】
尚、本実施例の昇降クランプ３２０は、図８に示すように、中央部に間隙が形成された略コ字状とされた透明樹脂板により形成されており、整備対象の障害釘２００が該間隙の直下に位置するように昇降クランプ３２０が逐次移動し、整備対象の障害釘２００に近い釘を昇降クランプ３２０にて押さえて遊技盤２を固定することで、整備における位置ずれが生じることを防ぐとともに、これら整備対象の障害釘２００の近くを押さえても、整備対象の障害釘２００の整備状況を、透明な昇降クランプ３２０を通して視認できるようになっている。
【０１２９】
図７に示すように、整備用工具４００は、直径φ１０が約６ｍｍ（φ１０＝約６ｍｍ）の金属製の棒状部材からなる棒状部４０１と、該棒状部４０１の下端側に取付けられ金属材からなる挟持部４０３と、から主に構成され、棒状部４０１の上端をヘッド３１７に交換可能に取付けることができるようになっており、挟持部４０３の形状が異なる複数種類のものがあり（図１２参照）、図８に示すように、基台３１０の周囲に、所定数が交換可能に予め用意されている。
【０１３０】
本実施例の障害釘整備装置３００において昇降クランプ３２０によって遊技盤２を保持、固定する形態としては、図１０（Ａ）に示すクランプ制御パターンＡと、図１０（Ｂ）に示すクランプ制御パターンＢとが設定されており、制御ユニット３００’が設定されたクランプ制御パターンにもとづいて昇降クランプ３２０の位置や押さえ圧力を制御する。
【０１３１】
クランプ制御パターンＡは、図１０（Ａ）に示すように、整備する障害釘２００を、一方の昇降クランプ３２０の略コ字状の間隙に位置させるとともに、他方の昇降クランプ３２０の位置を、前後方向の中心位置に対して対称位置に配置し、遊技盤２を、クランプ制御パターンＢに比較して低い圧力（小さい力）にて押さえて保持、固定するように制御するクランプ制御パターンである。
【０１３２】
クランプ制御パターンＢは、図１０（Ｂ）に示すように、双方の昇降クランプ３２０を前後方向の中心位置に配置した状態で、遊技盤２を、クランプ制御パターンＡに比較して高い圧力（大きい力）にて押さえて保持、固定するように制御するクランプ制御パターンである。尚、クランプ制御パターンＢにおいて、前後方向の中心位置に昇降クランプ３２０を配置したときに、整備対象の障害釘２００が、昇降クランプ３２０に覆われてしまう場合には、該整備対象の障害釘２００が昇降クランプ３２０に覆われてしまわない位置まで昇降クランプ３２０の位置を移動させて、遊技盤２を保持、固定する。
【０１３３】
本実施例においては、これら各クランプ制御パターンは、図１１に示すように、整備内容に応じて選択されるようになっている。
【０１３４】
具体的には、整備対象の障害釘２００が指定釘２０４〜２０８である場合には、クランプ制御パターンＢが選択され（図１０（Ｂ）参照）、整備対象の障害釘２００が指定釘２０４〜２０８以外の障害釘２００である場合には、クランプ制御パターンＡが選択される（図１０（Ａ）参照）。
【０１３５】
また、整備において工具種別が、筒状形状で１本の障害釘２００のみを整備するために使用される工具種別Ａの整備用工具４００である場合には、クランプ制御パターンＡが選択され、複数の障害釘２００を同時に整備するために使用される工具種別Ｂ、Ｃの整備用工具４００である場合には、クランプ制御パターンＢが選択される。
【０１３６】
また、整備における変動量（整備量）が予め設定された所定の閾値以上である場合には、クランプ制御パターンＢが選択され、変動量（整備量）が閾値未満である場合には、クランプ制御パターンＡが選択される。
【０１３７】
尚、これら整備内容とクランプ制御パターンとの関係は、原則であり、クランプ制御パターンＢが優先される。つまり、整備内容に、クランプ制御パターンＢに該当する整備内容が含まれている場合、例えば、整備内容が、指定釘２０４〜２０８以外であって、工具種別Ａによる整備であっても、変動量（整備量）が閾値以上である場合には、クランプ制御パターンＢが選択される。
【０１３８】
このように、本実施例では、整備内容である、整備対象の障害釘２００の種類の違いや、整備に使用する整備用工具４００の種類の違いや、整備における変動量（整備量）の違いに応じて異なるクランプ制御を行うので、遊技盤２を好適に保持することができるようになり、これら整備内容が異なる複数種類の整備を適切に行うことができる。
【０１３９】
次に、障害釘整備装置３００における整備に使用される整備用工具４００について説明すると、図１２に示すように、整備用工具４００は、挟持部４０３の形状が異なる複数種類がある。
【０１４０】
具体的には、整備用工具４００は、同時に整備する障害釘２００の数に応じて、３つの種別に大別される。工具種別Ａは、１本の障害釘２００のみを整備するために使用される整備用工具４００であり、工具種別Ｂは、２本の障害釘２００を同時に整備するために使用される整備用工具４００であり、工具種別Ｃは、３本の障害釘２００を同時に整備するために使用される整備用工具４００である。
【０１４１】
更に、工具種別Ａの整備用工具４００には、図１２のＡ−１〜Ａ−４に例示するように、先端部の形状や開口の大きさ等により、複数種類のものがある。これら工具種別Ａは、主に、連釘と称される誘導釘２０１Ｌ，２０１Ｒの整備に使用される。
【０１４２】
また、工具種別Ｂの整備用工具４００にも、図１２のＢ−１〜Ｂ−４に例示するように、
挟持部４０３に形成された障害釘２００が挿通される溝の幅や形状、挟持部４０３の厚み等により複数種類のものがある。これら工具種別Ｂは、主に、指定釘２０４〜２０８等の命釘と称される入賞口に臨む障害釘２００等の整備に使用される。
【０１４３】
工具種別Ｃの整備用工具４００は、主に、指定釘２０５の整備に使用される整備用工具４００である。尚、本実施例では、工具種別Ｃを２種類とした形態を例示しているが、本発明はこれに限定されるものではなく、該工具種別Ｃについても、挟持部４０３に形成された障害釘２００が挿通される溝の幅や形状、挟持部４０３の厚み等により、多種類のものを設けるようにしてもよい。
【０１４４】
尚、本実施例に用いた各整備用工具４００のうち、代表的な整備用工具４００については、図２８〜図３０に詳細な形状を示す。図２８〜図３０は、整備用工具の六面図、断面図、参考斜視図、使用状態参考斜視図等を含む。
【０１４５】
これらの整備用工具４００の一例について説明すると、例えば、工具種別Ｂ−１の整備用工具４００は、図９に示すように、胴部２００ａを挟持する挟持部４０３は、正面視略横長長方形状をなす直方体形状に形成され、正面左右側には、胴部２００ａの直径φ１（外径）より広い間隔である左右寸法を有する凹溝４１１Ｌ，４１１Ｒが、上下方向に向けて形成されている。挟持部４０３の上面左右方向の中央部には棒状部４０１が接続されており、挟持部４０３は棒状部４０１に対し略直交するように設けられている。
【０１４６】
また、挟持部４０３における背面側の左右側辺角部、凹溝４１１Ｌ，４１１Ｒの上下開口における内側辺角部、凹溝４１１Ｌ，４１１Ｒの下開口における外側辺角部、及び挟持部４０３における下面の左右側辺角部は、それぞれ面取り加工が施されている。
【０１４７】
このように、各辺の角部に面取り加工が施されることにより、胴部２００ａを挟持部４０３により挟持して整備作業を行う際に、障害釘２００や遊技盤面２ａに傷をつけたりすることが防止されている。
【０１４８】
このように構成された障害釘整備装置３００は、前述した遊技盤２の製造工程における工程Ｓ５において、整備用工具４００を用いて遊技盤面２ａに打設された複数の障害釘２００のうち工程Ｓ４において異常が検知された障害釘２００を第１整備データにもとづいて整備する第１整備と、工程Ｓ７において予め指定した指定釘２０４〜２０８を第２整備データにもとづいて整備する第２整備とを行う。
【０１４９】
次に、工程Ｓ７における障害釘整備装置３００が行う指定釘２０４〜２０８の第２整備の内容について、図９、図１３〜図１５にもとづいて説明する。尚、以下においては、指定釘２０４の第２整備内容を一例として説明し、他の指定釘２０５〜２０８の第２整備内容も同様のため、説明は省略するものとする。
【０１５０】
図９に示すように、指定釘２０４である左右の障害釘２００は、釘打ち機１６により打設された状態において、左右の障害釘２００は、遊技盤面２ａに対し直交するＺ軸方向に対し上方に約４度傾斜している。また、設定位置において、左右の障害釘２００それぞれの胴部２００ａにおける基端部側の離間寸法Ｌ２及び頭部２００ｂ側の離間寸法Ｌ３はそれぞれ同じ約１０．５ｍｍ（Ｌ２＝約１０．５ｍｍ、Ｌ３＝約１０．５ｍｍ）とされている。つまり、左右の障害釘２００は、互いの胴部２００ａは略平行をなすように打設されている。第２整備では、指定釘２０４の左右の障害釘２００の間隔を基部側から頭部２００ｂ側に向けて漸次広げ、頭部２００ｂを離間寸法Ｌ３が約１２ｍｍとなる指定位置へ配置する第２整備データにもとづいて行われる。
【０１５１】
障害釘整備装置３００は、管理コンピュータ５００から受信した第２整備データにもとづいて、図示しない駆動源により整備用アーム３０１の挟持部４０３を動作させて指定釘２０４の整備を行う。
【０１５２】
尚、第２整備データは、遊技盤２の指定釘２０４を整備する際に、管理コンピュータ５００が前述した湿度計・温度計から得られた湿度・温度のデータにもとづき、例えば、遊技盤２の材質がベニヤ板である場合であれば、ベニヤ板の含水率を算出し、該含水率にもとづいて整備用アーム３０１の挟持部４０３を動作させるベニヤ板用動作パターンデータ等を含む。このように、工場内の室内環境（湿度・温度）の変化に合わせてベニヤ板の遊技盤２の指定釘２０４を整備できるため、指定釘２０４の整備作業時におけるベニヤ板の破損を防ぐことができるとともに、整備精度が高まる。
【０１５３】
また、整備用工具４００は、遊技盤２の種別や対象となる障害釘２００に応じた寸法や形状を有する複数種類の整備用工具４００が用意されており、整備の対象となる障害釘２００に応じて交換可能とされている。尚、このような整備用工具４００の選択及び交換動作は第２整備データに含まれており、整備対象となる障害釘２００に応じて整備用アーム３０１が自動で行うようにしているが、作業者が手作業で交換するようにしてもよい。
【０１５４】
障害釘整備装置３００は、受信した第２整備データにもとづいて整備用アーム３０１を所定の動作パターンで駆動し、駆動初期位置から挟持部４０３を整備の対象となる指定釘２０４の配置位置まで、挟持部４０３が障害釘２００に接触しないように遊技盤２の上方にて移動させる。
【０１５５】
次いで、図９（Ａ）に示すように、凹溝４１１Ｌ，４１１Ｒの開口が指定釘２０４側を向くように挟持部４０３を指定釘２０４の前側に下降させる。そして、図９（Ａ）中の白矢印方向で示すように挟持部４０３を後方に向けて移動させ、凹溝４１１Ｌ，４１１Ｒ内に左右の障害釘２００の各胴部２００ａがそれぞれ嵌合する第１位置に配置する。これにより、左右の障害釘２００の胴部２００ａが、凹溝４１１Ｌ，４１１Ｒにより挟持される。尚、挟持部４０３は、この所定位置において、図９（Ａ）に示すように、棒状部４０１がＺ軸（垂線）に対し上方に向けて所定角度（約４度）傾く。
【０１５６】
第１位置では、図９（Ａ）に示すように、挟持部４０３の下面が遊技盤面２ａから離間され、その離間寸法Ｌ４は約２．５ｍｍ（Ｌ１０＝２．５ｍｍ）とされる。つまり、挟持部４０３は、胴部２００ａにおける頭部２００ｂよりも遊技盤面２ａに近い基部側の位置に配置される。また、棒状部４０１は、障害釘２００の胴部２００ａと平行をなすように、Ｚ軸（垂線）に対し上方に向けて所定角度θ１（θ１＝４度）傾けた状態で配置される。また、挟持部４０３の上下寸法Ｌ５は、障害釘２００における遊技盤面２ａから頭部２００ｂまでの長さＬ１よりも短寸とされ（Ｌ５＜Ｌ１）、挟持部４０３と各障害釘２００の頭部２００ｂとの間は離間しているため、挟持部４０３を頭部２００ｂ側に向けてスライド移動させることができるようになっている。
【０１５７】
次に、図９（Ｂ）に示すように、挟持部４０３を、挟持部４０３の下面における左右方向の中央位置ＣＰを基準として、棒状部４０１を左右に所定角度振りながら複数回に分けて上方へ移動させる。
【０１５８】
具体的には、挟持部４０３を、挟持部４０３の下面における左右方向の中央位置ＣＰを基準として、棒状部４０１を右側に向けて所定角度θ２（θ２＝約１３．１５度）傾け、傾けた状態で所定期間（例えば、約０．６秒間）動作を停止する。次いで、挟持部４０３を第１位置からＺ軸方向に対し上方に約４度傾斜する方向に向けて第１移動量（例えば、約０．３５ｍｍ）移動させて第２位置に配置するとともに、図９（Ｂ）に示すように、挟持部４０３を、中央位置ＣＰを基準として棒状部４０１を左側に向けて所定角度θ２（θ２＝約１３．１５度）傾けてＺ軸まで戻した後、さらに左側に向けて所定角度θ３（θ３＝約１２．２５度）傾け、傾けた状態で所定期間（例えば、約０．６秒間）動作を停止する。
【０１５９】
このように、挟持部４０３が中央位置ＣＰを基準として左右方向に傾くことで棒状部４０１を振る方向側の障害釘２００の方が他方側の障害釘２００に比べ折れ曲がり角度が大きくなり、これを複数回繰り返すことにより、指定釘２０４の障害釘２００の間隔が基部側から頭部２００ｂ側に向けて漸次広がるように整備される。このような第２整備により、指定釘２０４各々の頭部２００ｂが指定位置の許容範囲内に配置される。
【０１６０】
次いで、障害釘整備装置３００は、第２整備が行われた指定釘２０４の頭部２００ｂが指定位置の許容範囲内に配置されているか否かを判定する第２検査を行う。この第２検査は、第２整備済みの障害釘２００の頭部２００ｂが指定位置の許容範囲内に配置されているか否かに加え、該障害釘２００の胴部２００ａの曲がり具合が正常であるか否かを判定する。
【０１６１】
この第２検査において障害釘整備装置３００は、先ず、整備用工具４００を図１３に示す検査用工具６００に交換する。検査用工具６００は、直径φ１０が約６ｍｍ（φ１０＝約６ｍｍ）の金属製の棒状部材からなる棒状部６０１と、該棒状部６０１の下端側に取付けられ金属材からなる測定部６０２と、から主に構成されている。測定部６０２は、棒状部６０１の下端側に固定的に設置される基部６０２ａと、基部６０２ａに対して相対移動可能に設けられた移動部６０２ｂと、を有する。移動部６０２ｂは、図１５に示すように、棒状部６０１の下端から前方へ延設される板状片を有し、該板状片の先端には、第１接触辺６０２Ｌと、該第１接触辺６０２Ｌに対し交差するように配置される第２接触辺６０２Ｒと、を有する平面視略Ｖ字状の切欠部６０３が形成されている。
【０１６２】
このように構成される測定部６０２は、基部６０２ａに対し移動部６０２ｂがＸＹＺ軸方向に移動することで、基部６０２ａに対するせん断力や該せん断力がかかる方向を計測可能であるいわゆる力覚センサ（ひずみゲージ式センサともいう）を構成している。尚、略Ｖ字状の切欠部６０３の谷部は基点ＲＰとなっている。
【０１６３】
次に、図１４に示すように、検査用工具６００を用いて障害釘２００における胴部２００ａのＺ軸方向の複数箇所（本実施例では、検査点Ｐ１，Ｐ２の２箇所）におけるＸＹ軸方向の位置（座標）を計測する。そして、基部６０２ａに設けられた演算部（図示略）が位置データ（座標データ）にもとづき障害釘２００の曲がり具合を検出する。
【０１６４】
詳しくは、図１５（Ａ）に示すように、検査点Ｐ１，Ｐ２それぞれに対応する検査開始位置に検査用工具６００の基点ＲＰを配置する。続いて、図１５（Ｂ）に示すように、検査用工具６００を、基点ＲＰが指定位置に配置されるようにＸＹ軸方向（水平方向）に移動させる。つまり、第２整備により指定釘２０４〜２０８が指定位置の許容範囲内に配置されていれば、第１接触辺６０２Ｌや第２接触辺６０２Ｒが胴部２００ａに接触せずに基点ＲＰを検査開始位置から指定位置へ移動させることができる。
【０１６５】
しかし、障害釘２００が指定位置の許容範囲内に配置されていない場合に、第１接触辺６０２Ｌと第２接触辺６０２Ｒのうちいずれか一方（例えば、第２接触辺６０２Ｒ）に障害釘２００が当接すると、図１５（Ｂ）中の点線矢印方向に圧力が働き、これにより基部６０２ａに対し移動部６０２ｂが移動するため、基部６０２ａに対するせん断力や該せん断力がかかる方向が計測される。障害釘整備装置３００は、前記せん断力やその方向が減少する方向に（最小値となる方向）へ検査用工具６００を誘導する。上記のような動作を繰り返し、図１５（Ｃ）に示すように、障害釘２００に当接する位置に検査用工具６００の基点ＲＰを配置する。障害釘整備装置３００は、基点ＲＰが障害釘２００に当接する位置までに検査用工具６００の基点ＲＰが移動した移動量及び移動方向等を含む前述した第２検査結果情報を含む第２整備完了データを管理コンピュータ５００へ送信する。
【０１６６】
第２検査結果情報（第２整備完了データ）を受信した管理コンピュータ５００（ＣＰＵ５０２）は、該第２検査結果情報にもとづいて、指定位置に対する検査点Ｐ１，Ｐ２それぞれの位置のＸＹ軸方向へのずれ量を特定する。つまり、管理コンピュータ５００（ＣＰＵ５０２）は、第１接触辺６０２Ｌと第２接触辺６０２Ｒとの基点ＲＰを指定位置に向けて移動する途中で第１接触辺６０２Ｌまたは第２接触辺６０２Ｒに接触したときにかかる負荷により、各検査点Ｐ１，Ｐ２における指定位置からのずれ量にもとづいて胴部２００ａの曲がり具合を特定する。
【０１６７】
上記のように、管理コンピュータ５００（ＣＰＵ５０２）は、障害釘２００の頭部２００ｂの指定位置に対するＸＹ軸方向のずれ量を判定するだけでなく、Ｚ軸方向において頭部２００ｂとは異なる位置である各検査点Ｐ１，Ｐ２における胴部２００ａの指定位置に対するＸＹ軸方向のずれ量を判定することで、障害釘２００の胴部２００ａの曲がり具合を特定する。
【０１６８】
また、各検査点Ｐ１，Ｐ２における胴部２００ａの指定位置に対するＸＹ軸方向のずれ量から障害釘２００の曲がり具合を特定することで、障害釘２００の頭部２００ｂの遊技盤面２ａからの長さ寸法を特定できる。つまり、頭部２００ｂは設定位置からＸＹ軸方向へずれていなくても、胴部２００ａが曲がっていたりする不具合を把握できるため、障害釘２００の植設状態を高精度で検査することができる。
【０１６９】
尚、工程Ｓ７の第２整備の終了後に行う第２検査で異常が検知された障害釘２００については、管理コンピュータ５００（ＣＰＵ５０２）が第２整備データに対応する修正整備データ（再第２整備データ）を作成し、該修正整備データにもとづいて整備用アーム３０１の挟持部４０３を動作させる。この第２整備と第２検査とは、第２整備後の障害釘２００の頭部２００ｂが指定位置の許容範囲内に配置されるまでまたは第２整備の回数が所定回数となるまで繰返し行われ、これら第２整備と第２検査とが行われる毎に第２整備完了データが管理コンピュータ５００に送信される。
【０１７０】
また、本実施例では、第２検査において、管理コンピュータ５００（ＣＰＵ５０２）は、第１接触辺６０２Ｌと第２接触辺６０２Ｒとの基点ＲＰを指定位置に向けて移動する途中で第１接触辺６０２Ｌまたは第２接触辺６０２Ｒに接触したときにかかる負荷により、各検査点Ｐ１，Ｐ２における指定位置からのずれ量にもとづいて胴部２００ａの曲がり具合を特定する形態を例示したが、本発明はこれに限定されるものではなく、基点ＲＰが検査開始位置から障害釘２００に当接する位置までに移動した移動量及び移動方向（移動軌跡）にもとづいて各検査点Ｐ１，Ｐ２における指定位置からのずれ量を計測し、胴部２００ａの曲がり具合を特定するようにしてもよい。
【０１７１】
また、本実施例では、検査用工具６００を用いて第２検査を行う形態を例示したが、本発明はこれに限定されるものではなく、障害釘整備装置３００においてカメラによって第２検査を行うようにしてもよい。
【０１７２】
次いで、工程Ｓ４及びＳ９における第１釘検査装置１７Ａ及び第２釘検査装置１７Ｂが行う障害釘２００の検査について図１６にもとづいて説明する。図１５は、（Ａ）は図４における第１釘検査装置及び第２釘検査装置の内部構造を示す平面図、（Ｂ）は（Ａ）のＢ−Ｂ断面図である。尚、本実施例における第１釘検査装置１７Ａ及び第２釘検査装置１７Ｂは同一構成であるため、第１釘検査装置１７Ａの構成のみ説明し、第２釘検査装置１７Ｂの構成の説明を省略する。
【０１７３】
図１３に示すように、第１釘検査装置１７Ａの内部には、立設する複数の脚部４２により所定の高さに配置される平面視矩形状のフレーム４３と、フレーム４３の中心下方側、すなわち、斜め下方側を向いた状態でフレーム４３に沿って複数固定されるカメラ４４（本実施例では６個）と、が配設されており、フレーム４３の下方を前述した搬送装置１３により遊技盤２が通過するようになっている。遊技盤２がフレーム４３の下方に搬送されると、第１釘検査装置１７Ａは搬送装置１３を停止させ、複数のカメラ４４により遊技盤２全体を撮影する。そして、複数のカメラ４４による画像データを、装置番号や二次元コード１５ａの読み取りデータ等とともに管理コンピュータ５００に送信する。
【０１７４】
管理コンピュータ５００（ＣＰＵ５０２）は、受信した画像データを統合処理して各障害釘２００の頭部２００ｂの位置（座標）を特定するとともに、記憶装置５０５に記憶されている各障害釘２００の頭部２００ｂの設定位置（指定位置）と照合し、設定位置からのずれがないか否かを検査する。
【０１７５】
このように、第１釘検査装置１７Ａでは、斜め下方側を向く複数のカメラ４４により遊技盤２の周囲からその全体を撮影し、その画像データを管理コンピュータ５００にて統合処理して各障害釘２００の位置を特定するため、各障害釘２００の前後左右方向の位置（Ｘ軸、Ｙ軸方向の位置）だけでなく、各障害釘２００の高さ方向の位置（Ｚ軸方向の位置）も把握することができ、各障害釘２００の植設状態を高い精度で検査することができる。
【０１７６】
尚、本実施例では、各障害釘２００の位置を把握するものの一例として、複数のカメラ４４により各障害釘２００を撮影する態様について説明したが、本発明はこれに限定されるものではなく、各障害釘２００の位置を把握できるものであれば、例えば、音波センサや光学センサ等であってもよい。
【０１７７】
このように、ＣＰＵ５０２は、第１検査では、第２釘検査装置１７Ｂのカメラ４４により撮影した撮影画像にもとづいて、各障害釘２００の頭部２００ｂが設定位置の許容範囲内に配置されているか否かを判定するのに対し、第２検査では、検査用工具６００に設けられた測定部６０２（力覚センサ）により各障害釘２００の頭部２００ｂが指定位置の許容範囲内に配置されているか否かを判定することで、第１整備よりも障害釘２００の状態を詳細に判定できるため、精度が高い整備を行うことが可能となる。
【０１７８】
次いで、管理コンピュータ５００の記憶装置５０５に記憶される種々のデータ及びデータの設定方法等について、図１７〜図２７を用いて説明する。図１７は、シールに印刷される二次元コード及びその他の情報を示す図である。図１８は、記憶装置に記憶されている機種登録情報一覧を参照するときに表示装置５０７に表示されるインタフェースを示す図である。図１９は、記憶装置に機種登録情報を新規登録する際に表示装置５０７に表示されるインタフェースを示す図である。図２０は、特定の各障害釘の整備データを設定する際に表示装置５０７に表示されるインタフェースを示す図である。図２１は、ヘソ釘の整備データを設定する際に表示装置５０７に表示されるインタフェースを示す図である。図２２は、任意釘の整備データを設定する際に表示装置５０７に表示されるインタフェースを示す図である。図２３は、標準整備の位置と測定結果との関係並びに測定結果にもとづく補正データの一例を示す図である。図２４は、表示装置５０７に表示される釘整備方式設定画面を示す図である。図２５は、本実施例の釘打ちデータテーブルを示す図である。図２６は、本実施例の第２画像検査テーブルを示す図である。図２７は、本実施例においてプリンタ５０８により出力される釘間測定書を示す図である。
【０１７９】
図１８に示すように、記憶装置５０５には、複数の機種登録情報が予め記憶されている。この機種登録情報は、遊技盤２の種別である品目コード、材質（ベニヤ板か合成樹脂板か）、釘位置精度、釘高さ精度、風車釘位置精度、風車釘高さ精度、整備釘位置精度（指定釘位置精度）、整備釘高さ精度（指定釘高さ精度）、カメラ設定ファイル…等が登録されている。ここで言う、釘位置精度、釘高さ精度、風車釘位置精度、風車釘高さ精度、整備釘位置精度、整備釘高さ精度は、許容される誤差の範囲（許容範囲）である。また、遊技盤２の種別は、例えば遊技盤面２ａが平坦である、または起伏がある（３Ｄ仕様）等、多種多様であり、カメラ設定ファイルは、遊技盤２の機種に合わせて前述したカメラ４４の撮影角度を設定するためのデータである。
【０１８０】
この各品目コードには、各遊技盤２に貼付された二次元コード１５ａに付与されたシリアル番号（固有のＩＤ）、整備データ、後述するゲージデータ等が関連付けて記憶されている。したがって、前述した読み取り用カメラにより二次元コード１５ａが読み取られると、管理コンピュータ５００は、読み取ったシリアル番号に対応する品目コードを抽出し、品目コードに関連付けて記憶された各種装置の動作パターンデータやゲージデータ等を抽出し、その情報にもとづいて各種装置が前述した工程Ｓ３〜Ｓ９の作業を行うようになっている。
【０１８１】
また、機種登録情報一覧参照用のインタフェースには、記憶装置５０５に機種登録情報を新規登録する際の新規追加ボタンが設けられている。この新規追加ボタンを選択すると、図１９に示すような記憶装置５０５に機種登録情報を新規登録するためのインタフェースが表示装置５０７に表示される。記憶装置５０５に機種登録情報を新規登録する際には、該インタフェースにて、先ず、品目コードを図示しないキーボードで入力するか、自動入力ボタンを押して図示しない品目コード一覧から該当する品目コードから選択して入力する。次いで、遊技盤２の機種に応じて割り当てられる固有の釘配列であるゲージデータを入力する。このゲージデータは、参照ボタンを押して図示しないゲージデータ一覧から該当するゲージデータを選択して入力する。その後、前述したカメラ設定ファイル、各種釘精度を入力する。また、新規登録用のインタフェースには、各種の整備用工具４００（正確ドライバーともいう）による整備データと、任意釘の整備方向と角度と、を設定するボタンがある。
【０１８２】
正確ドライバーの整備データの設定ボタンを選択すると、図２０に示すように、正確ドライバーの整備データを設定するためのインタフェースが出現する。このインタフェースには、整備箇所（指定釘の種類）、釘番号、中心位置Ｘ，Ｙ（頭部２００ｂの座標データ）、整備用工具４００の進入方向、整備データ（動作パターンデータ）…等の正確ドライバー一覧と、ゲージデータ画像（図２０の下段参照）と、が表示されている。このインタフェースに表示される整備箇所（指定釘の種類）に、前述した指定釘２０４〜２０８等を入力することで、指定釘を設定できるようになっている。
【０１８３】
この正確ドライバー一覧における整備データの欄においては、プルダウン方式で複数の動作パターンデータの内から１つの動作パターンデータを選択できるようになっているとともに、釘番号、中心位置Ｘ，Ｙ（頭部２００ｂの座標データ）、整備用工具４００の進入方向、を設定できるようになっている。
【０１８４】
また、正確ドライバー一覧の下段には、ヘソ設定、チャッカー設定、通過ゲート設定、三角設定等のボタンが配置されており、任意のボタンを選択することにより、該ボタンと関連付けられた整備箇所が正確ドライバー一覧にて選択される。この正確ドライバー一覧から任意の整備箇所を選択（本実施例では、ヘソ釘を選択）すると、ゲージデータ画像にて選択した障害釘２００の周囲が色づけされ、作業者がどの整備箇所を選択したか把握し易くなっている。尚、本実施例では、正確ドライバー一覧から任意の整備箇所を選択した際に、ゲージデータ画像にて選択した障害釘２００の周囲が色づけされたが、これに限られず、作業者がどの整備箇所を選択したか把握し易くなっていれば、ゲージデータ画像にて選択した障害釘２００の周囲または障害釘２００自体が点灯または点滅するようにしてもよい。
【０１８５】
正確ドライバー一覧にて任意の整備箇所を選択した状態で例えばダブルクリック等の動作を行うと、図２１に示すように、任意の整備箇所（本実施例では、ヘソ釘）の整備データ設定用のインタフェースが出現する。このインタフェースでは、各整備データ（動作パターンデータ）毎に釘振り角度、釘振り移動量、Ｚ軸方向移動量、停止時間、釘振り速度をそれぞれ設定できるようになっている。このように、整備箇所（指定釘の種類）毎に、様々な整備データ（動作パターンデータ）の設定を行うことができるため、特定の障害釘２００を所望の植設状態にするための設定が簡便である。
【０１８６】
また、前述した新規登録用のインタフェースにて、任意釘の整備方向と角度を設定するボタンを選択すると、図２２に示すように、任意釘の整備方向と角度を設定するためのインタフェースが出現する。このインタフェースには、釘番号、中心位置Ｘ，Ｙ（頭部２００ｂの座標データ）、高さ、方向、角度、ドライバーの種類（整備用工具の種類）…等の登録リスト一覧と、ゲージデータ画像（図２２の下段参照）と、が表示されている。このインタフェースにおけるゲージデータ画像には、特定の障害釘２００が色づけされており、且つ登録リスト一覧にて選択された釘番号の障害釘２００が区別され（本実施例では、丸で囲っている）、作業者が選択中の障害釘２００を把握し易くなっている。これによれば、特定の障害釘２００の種類に関わらず、１本の障害釘２００毎に整備できるようになるため、より細やかに特定の障害釘２００を所望の植設状態に整備することができるようになっている。
【０１８７】
次に、記憶装置５０５に記憶されている本実施例の補正データについて、図２３を用いて説明する。補正データは、障害釘２００の整備精度を高めるためのものであり、実際に、障害釘整備装置３００において、同一の整備を行ったとしても、整備する位置が異なると、異なる整備結果となる場合があるとともに、例えば、回転台３１２に近い位置では障害釘２００の間隔が狭く、回転台３１２から遠い位置では障害釘２００の間隔が広くなるように、整備結果に偏りを生じる場合がある。更に、このような整備位置による整備結果の違いや偏りは、障害釘整備装置３００によって、その傾向等がそれぞれ異なり、いわゆる個体差がある。よって、これら整備位置や個体差による整備結果の不均一を、補正データ等によって解消することで障害釘２００の整備精度を高めることができる。
【０１８８】
よって、補正データは、障害釘２００、特には、指定釘２０４〜２０８の障害釘２００の間隔を所望の寸法とするときに、当該所望の寸法を補正することで、実際の第２整備において所望の寸法に整備されるようにするためのデータであって、遊技盤２を載置するテーブル３０２の各位置における標準整備の測定値によって設定されるようになっている。
【０１８９】
具体的には、本発明の整備可能位置である遊技盤２を載置するテーブル３０２上の領域は、図２３に示すように、前後方向に１０段、左右方向にＡ〜Ｅの５列から成る５０分割（１０×５）された領域が設定されており、該分割された各領域において、材質、工具、板温度、湿度等の各条件を変更して、障害釘２００の間隔を１２.００ミリに整備する標準整備を、当該障害釘整備装置３００において実行し、各領域の障害釘２００の間隔を実測して、その実測データから補正値を算出する。尚、補正値は、同一の整備条件（材質、工具、板温度、湿度等）において、複数回数（例えば１０）の標準整備を行い、その平均値から算出すればよい。
【０１９０】
これら各領域において標準整備された障害釘２００の間隔は、例えば、図２３に示すように、１２.００ミリと同一の間隔の領域もあれば、１２.００ミリよりも狭い領域や、１２.００ミリよりも広い領域があり、これらの障害釘２００の実際の間隔と標準整備の設定値である１２.００ミリとから、補正データが算出される。
【０１９１】
つまり、これらの補正データの一例としては、例えば、標準整備の設定値である１２.００ミリを、実際の測定値にて除した値を使用することができる。具体的には、測定値が１２.０５ミリであれば、該１２.０５ミリで１２.００ミリを除した値である０.９９５９が補正値データとなり、実際に整備したい間隔が１１．５０ミリであれば、該１１．５０ミリに補正データを乗算した値を整備において指示する間隔とすればよいことになる。
【０１９２】
これら補正データは、上述したように、遊技盤２の材質、板温度、湿度等の各種の条件の組み合わせ毎に作成されて記憶装置５０５に記憶されている。
【０１９３】
よって、管理コンピュータ５００は、第２整備を実行する際には、該補正データのうち、障害釘整備装置３００から送信される板温度や湿度等の条件に合致する補正データであって、整備対象の障害釘２００が打設されている位置が該当する領域の補正データを特定し、該特定した補正データにより指示する間隔を補正して第２整備データを作成する。
【０１９４】
尚、本実施例においては、上述したような補正データを使用したが、本発明はこれに限定されるものではなく、実際の寸法との差がどの程度の割合（％）であるかを算出し、該割合（％）を補正値とする等のように、実際においては、作成する第２整備データの算出が容易となるような補正データを使用すればよい。
【０１９５】
尚、本実施例では、管理コンピュータ５００においては、これら第２整備の整備方式を、上記した補正データを使用する整備方式と、補正データを使用しない整備方式とのいずれの整備方式にて整備するかを、所定の設定操作を実行することによって表示装置５０７に表示される釘整備方式設定画面において設定できるようになっている。
【０１９６】
本実施例の釘整備方式設定画面には、図２４に示すように、釘整備方式である「１装置完結方式」と「複数装置分担方式」とに対応してチェックボックスが設けられており、該チェックボックスを排他選択できるようになっている。
【０１９７】
「１装置完結方式」は、上記した補正データを用いて各障害釘整備装置３００において、１の遊技盤２の整備を全て実行する整備方式である。つまり、各障害釘整備装置３００では、図２３に例示するように、良好な整備ができる領域が異なっており、障害釘整備装置３００毎にクセが生じる。よって、これら良好な整備ができる領域以外の領域については、補正データを活用して、良好な整備となるように、指示する第２整備データを補正して１の障害釘整備装置３００にて全ての領域の障害釘２００について第２整備を完了する整備方式である。
【０１９８】
一方、「複数装置分担方式」とは、複数の障害釘整備装置３００で、第２整備する範囲を分担して整備することで、個々の障害釘整備装置３００に整備のくせ（誤差）があっても、各遊技盤２の同一の範囲の障害釘２００に関しては、同一のくせ（誤差）によって整備されているため、遊技盤２毎の品質にバラツキを押さえことができる整備方式である。
【０１９９】
よって、釘整備方式設定画面には、図２４に示すように、「複数装置分担方式」の項目内には、製造ライン１２に配置されている障害釘整備装置３００の装置番号と、当該装置番号の障害釘整備装置３００が第２整備する範囲を、６つの範囲Ｒ１〜Ｒ６から選択して設定できるようになっている。尚、範囲Ｒ１〜Ｒ６は、遊技盤２の範囲を６つに分割した範囲であり、該範囲を選択する場合には、対応する障害釘整備装置３００の標準整備の測定データ（図２３参照）において、測定した間隔が１２．００ミリから所定の基準値内、例えば、±０．０２ミリにある領域を選択するようにすることが好ましい。但し、これら範囲内に該当する領域全てが所定の基準値内であることを満たす必要はなく、領域全てが所定の基準値内である範囲がない場合にあっては、所定の基準値内であることを満たす領域が多い範囲を選択するようにしてもよい。尚、これらの選択は、操作者が操作によって入力するのではなく、管理コンピュータ５００が、自動的に選択するようにしてもよい。
【０２００】
また、基準値は、上記したものに限定されるものではなく、製品の性質や障害釘２００の種別等に応じて適宜に決定されればよい。
【０２０１】
このように、釘整備方式設定画面において整備方式として「複数装置分担方式」が設定された場合には、管理コンピュータ５００からは、各障害釘整備装置３００に対して、該釘整備方式設定画面において各障害釘整備装置３００に設定された、範囲Ｒ１〜Ｒ６のいずれかの範囲、つまり、所定の基準値内であることを満たす領域を有する範囲の障害釘２００を第２整備し、他の範囲の障害釘２００については第２整備を行わないことを指示する第２整備データが送信されることで、各障害釘整備装置３００において、それぞれ別の範囲の第２整備が実行される。尚、これら「複数装置分担方式」における第２整備データは、「１装置完結方式」の第２整備データとは異なり、補正データにより補正しないので、管理コンピュータ５００において、これら第２整備データを作成する処理の処理負荷を低減することができ、迅速に第２整備データを障害釘整備装置３００に送信することができる。
【０２０２】
尚、「複数装置分担方式」は、上記したように、整備にくせ（誤差）があったとしても、全ての遊技盤２が同様の誤差を含むようになり、遊技盤２の間ではバラツキを生じないことになるので、整備不良となる領域を含まない範囲であれば、所定の基準値内である領域が多い範囲ではない範囲を指定してもよい。
【０２０３】
図２４に示す例では、製造ライン１２に設置された０１番の障害釘整備装置３００が範囲Ｒ１を第２整備し、０２番の障害釘整備装置３００が範囲Ｒ３を第２整備し、０３番の障害釘整備装置３００が範囲Ｒ４を第２整備し、０５番の障害釘整備装置３００が範囲Ｒ６を第２整備し、０６番の障害釘整備装置３００が範囲Ｒ５を第２整備する設定例が示されており、０１番〜０６番の６台の障害釘整備装置３００が分担して第２整備を行う形態が例示されている。
【０２０４】
尚、これら障害釘整備装置３００に整備のくせ（誤差）は、通常において、整備を実行する回数等応じて変化することが多いことから、これら整備のくせ（誤差）を再度測定して、分担する範囲の変更（ローテーション）を検討するタイミングを特定するためのローテーション検討整備カウンタ設定の項目が設けられており、該項目に次回、分担する範囲の変更（ローテーション）を検討するまでの整備数を入力することで、各障害釘整備装置３００にて第２整備を実行する毎にローテーション検討整備カウンタの値が１減算されていき、第２整備を分担するいずれかの障害釘整備装置３００のローテーション検討整備カウンタが「０」になったときには、再度、標準整備を実行して、分担する範囲の再設定が行われる。つまり、本実施例では、標準整備による測定（検出）が、再測定（再検出）を実行する実行条件である、ローテーション検討整備カウンタが「０」になった毎に実行する。
【０２０５】
尚、本実施例では、再測定（再検出）を実行する実行条件を、第２整備の実行回数とした形態を例示しているが、本発明はこれに限定されるものではなく、これら実行条件を、所定期間が経過する毎に一定周期にて実行するようにしてもよい。
【０２０６】
次に、記憶装置５０５に記憶される本実施例の釘打ちデータテーブルについて説明する。本実施例の釘打ちデータテーブルには、図２５に示すように、各釘打ち機１６の装置番号に対応付けて、当該番号の釘打ち機１６において釘打ちが行われた遊技盤２のシリアル番号や釘打ち時の日付や温度や湿度等の情報（データ）が記憶、管理されている。
【０２０７】
よって、管理コンピュータ５００は、遊技盤２のシリアル番号から、該遊技盤２の障害釘２００を打設した釘打ち機１６を、該釘打ちデータテーブルによって特定できるとともに、該釘打ち機１６において障害釘２００が打設された日付やそのときの温度や湿度等の製造条件も特定できるようになっている。
【０２０８】
尚、これらのデータは、釘打ち機１６において障害釘２００の打設が完了したときに、装置番号や二次元コード１５ａの読み取りデータとともに送信される釘打ち作業完了データに含まれる温湿度データが格納されるが、本発明はこれに限定されるものではなく、釘打ち機１６において打設を開始するときに送信されるデータ送信要求時のデータに温湿度データを含めるようにし、該データ送信要求時のデータに含まれる温湿度データを格納するようにしてもよい。
【０２０９】
また、図２５には示していないが、管理コンピュータ５００の記憶装置５０５には、釘打ちデータテーブルと同様に、各障害釘整備装置３００の装置番号に対応付けて、当該番号の障害釘整備装置３００において最終の第２整備が行われた遊技盤２のシリアル番号や整備時の日付や温度や湿度等の情報（データ）が記憶、管理されている障害釘整備データテーブルも記憶されており、遊技盤２のシリアル番号から、該遊技盤２の障害釘２００の第２整備した障害釘整備装置３００を、該障害釘整備データテーブルによって特定できるとともに、該障害釘整備装置３００において障害釘２００が第２整備された日付やそのときの温度や湿度等の製造条件も特定できるようになっている。
【０２１０】
尚、これらのデータは、障害釘整備装置３００において前述した第２整備が完了したときに、装置番号や二次元コード１５ａの読み取りデータとともに送信される第２整備完了データに含まれる温湿度データ等が格納される。このように、本実施例では、第２整備を行った障害釘整備装置３００の装置番号である装置番号に対応付けて、二次元コード１５ａに含まれるシリアル番号や温湿度データ等が障害釘整備データテーブルに記憶されるようになっているが、本発明はこれに限定されるものではなく、これら第２整備についての障害釘整備データテーブルと同様に、第１整備を行った障害釘整備装置３００から、該第１整備が完了したときに、該障害釘整備装置３００の装置番号とともに送信される第１整備を行った遊技盤２の二次元コード１５ａの読み取りデータと温湿度データ等を含む第１整備完了データにもとづいて、第１整備を行った障害釘整備装置３００の装置番号に対応付けて、該完了時データに含まれるシリアル番号や温湿度データ等を、第１整備の障害釘整備データテーブルに記憶することで、第１整備に関する情報も第２整備と同様に特定して、後述する釘間測定書に印刷出力されるようにしてもよい。
【０２１１】
また、本実施例では、繰り返し第２整備（第１整備）が実行された場合には、最終の第２整備（第１整備）についてのデータを障害釘整備データテーブルに記憶するようにしているが、本発明はこれに限定されるものではなく、これら繰り返し第２整備（第１整備）が実行された場合には、各第２整備（第１整備）についてのデータも障害釘整備データテーブルに記憶するようにしてもよい。
【０２１２】
また、障害釘整備データテーブルには、障害釘整備装置３００における整備方式を記憶するようにしてもよい。更には、第２整備の方式として補正データを使用した「１装置完結方式」が実行された場合には、該第２整備の対象とした障害釘２００について、該障害釘２００の整備に用いた補正データ（補正値）も記憶して、後に確認できるようにしてもよいし、「複数装置分担方式」が実行された場合には、各範囲Ｒ１〜Ｒ６の第２整備を行った障害釘整備装置３００の当該範囲の誤差（個体差）や補正データ（補正値）等の個体差情報も記憶して、後に確認できるようにしてもよい。さらには、これら整備方式や個体差情報を、図２７に示す釘間測定書に記載するようにしてもよい。このようにすることで、障害釘整備データテーブルにおいては、遊技盤２を個々に識別可能な識別情報となるシリアル番号に対応付けて、該遊技盤２の障害釘２００の第２整備についての本発明の個体差情報である補正データが記憶、管理されることになる。
【０２１３】
また、本実施例の第２画像検査テーブルには、図２６に示すように、各第２釘検査装置１７Ｂの装置番号に対応付けて、当該番号の第２釘検査装置１７Ｂにおいて第1検査が行われた遊技盤２のシリアル番号や検査時の日付や該検査時の温度や湿度等の情報（データ）が記憶、管理されている。
【０２１４】
よって、管理コンピュータ５００は、遊技盤２のシリアル番号から、該遊技盤２を第1検査した第２釘検査装置１７Ｂを、該第２画像検査テーブルによって特定できるとともに、該第２釘検査装置１７Ｂにおいて検査された日付や温度や湿度等の製造条件も特定できるようになっている。
【０２１５】
尚、図２６には、第２画像検査テーブルを例示しているが、管理コンピュータ５００の記憶装置５０５には、第２画像検査テーブルと同様の第１画像検査テーブルも記憶されており、該第１画像検査テーブルには、各第１釘検査装置１７Ａの装置番号に対応付けて、当該番号の第１釘検査装置１７Ａにおいて検査が行われた遊技盤２のシリアル番号や検査時の日付や該検査時の温度や湿度等の情報（データ）が記憶、管理されていて、遊技盤２のシリアル番号から、該遊技盤２を1次検査した第１釘検査装置１７Ａを、該第１画像検査テーブルによって特定できるとともに、該第１釘検査装置１７Ａにおいて1次検査された日付や温度や湿度等の製造条件も特定できるようになっている。
【０２１６】
これら管理コンピュータ５００の記憶装置５０５に記憶されている各種のデータにもとづいて、本実施例では、図２７に示す釘間測定書がプリンタ５０８により印刷出力され、遊技盤２の購入者であるパチンコ遊技機１の購入者に提供される。
【０２１７】
本実施例の釘間測定書は、図２７に示すように、紙面左半分に、遊技盤２の正面図が印刷され、紙面左半分に、製造や整備を行った装置や条件、指定釘の釘間の情報や、予め定められた重要性の高い障害釘２００に関する情報が印刷されている。
【０２１８】
具体的には、図２７に示すように、遊技盤２の正面図には、Ａ〜Ｆの記号が印字され、該Ａ〜Ｆが遊技盤２のどの部分を指しているかが解るように表記されているとともに、紙面下方には、Ａ〜Ｆの部分の入賞口の大きさの規定値が印刷されている。
【０２１９】
また、遊技盤２の正面図には、遊技盤に打設される全ての障害釘２００が丸の表示で印刷されているとともに、該障害釘２００のうち、角度や方向等のデータが必要となる重要性の高い障害釘２００については、黒丸の表示とされ、近傍に番号［１］〜［２２］が印刷されている。
【０２２０】
また、入賞口の大きさの規定値表示の右側には、障害釘２００におけるどの位置の間隔がいずれの名称であるのかを説明する説明図が印刷されている。
【０２２１】
釘間測定書の上部には、「釘間測定書」の表題と印刷された日付、機種名が印刷されている。また、紙面右上部には、シリアルナンバー、開発番号、釘打ちデータ名の各項目データが印刷されている。
【０２２２】
また、紙面右部には、図２７に示すように、「釘打ち日」、「釘打ち機番号」、「板厚」の釘打ちに関する情報が印刷されている。その下方には、「画像検査日」、「釘位置測定機」、「釘高さ精度  MAX」、「釘高さ精度  MIN」、「温度」、「湿度」、「板温度」の釘位置後の最初の画像検査に関する情報が印刷されている。
【０２２３】
その更に下方には、「釘整備日」、「釘整備機」、「温度」、「湿度」、「板温度」の釘整備に関する情報が印刷され、その更に下方には、「画像検査日」、「釘位置確認機」、「温度」、「湿度」、「板温度」の最終確認の画像検査に関する情報が印刷されている。
【０２２４】
また、更に下方には、紙面左の正面図において示されたＡ〜Ｆの入賞口の間隔に関する情報が印刷されている。
【０２２５】
また、紙面右端には、紙面左の正面図において示された［１］〜［２２］の障害釘２００の「角度」、「方向」に関する情報が、各障害釘２００の番号に対応付けて印刷されている。
【０２２６】
尚、「角度」は、遊技盤面２ａに垂直な角度が「０度」であり、遊技盤面２ａの上方に向けて障害釘２００の先端が傾斜している程、角度が大きくなるように表記されていることが図示にて示されているとともに、「方向」に関しては、障害釘２００の上面視において、時計の針が示す時刻が該当する方向によって示されていることが図示にて示されている。
【０２２７】
このように、本実施例の釘間測定書には、図２７に示すように、障害釘２００の整備に関する多くの情報が印刷されるようになっているが、本発明はこれに限定されるものではなく、これら印刷される整備に関する情報の種類や内容や表示の方法は、適宜に変更可能である。つまり、整備に関する情報としては、障害釘２００の整備に関する情報として、どの装置で釘打ちや整備がなされたかや、釘打ちや整備がなされたときの温度や湿度等の条件や、整備後の障害釘２００の角度や向きや各入賞口の間隔等の情報のいずれかのみであってもよい。
【０２２８】
また、本実施例では、図２７に示すように、パチンコ遊技機１の購入者等の関係者が、直接読み取ることのできる釘間測定書を出力する形態を例示しているが、本発明はこれに限定されるものではなく、例えば、これら釘間測定書のページデータを、該釘間測定書が該当する遊技盤２のシリアル番号等のページ特定情報に対応付けて管理コンピュータ５００に記憶しておき、該ページ特定情報を符号化したバーコードやシンボル化した２次元コード等のように、関係者が、直接読み取ることのできない暗号化した情報のみを出力して、該暗号化した情報を、所定の端末で読み取ることにより、ページ特定情報を抽出して、該抽出したページ特定情報に対応付けて管理コンピュータ５００に記憶されている釘間測定書のページデータを入手して表示するようにしてもよい。また、管理コンピュータ５００ではなく、特定の管理サーバコンピュータに、これら釘間測定書のページデータを遊技盤２のシリアル番号等のページ特定情報に対応付けて記憶しておき、該特定の管理サーバコンピュータにアクセスして、ページ特定情報を専用ページにおいて入力することで、釘間測定書のページデータが配信されて、関係者の利用可能な端末（例えば、スマートホンやタブレット）等に表示されるようにしてもよい。このように、関係者が、直接読み取ることのできない暗号化した情報のみを出力するようにすることで、出力される整備に関する情報が改竄され難くなるので、整備に関する情報のセキュリティ性を高めることができる。
【０２２９】
尚、これらページ特定情報を符号化したバーコードやシンボル化した２次元コードを出力する場合には、これらバーコードや２次元コードのみを出力するのではなく、図１７に示した二次元コード１５ａのように、該バーコードや２次元コードとともに、これらバーコードや２次元コードから特定される釘間測定書に記載されている整備に関する情報のうちの一部の情報、例えば、釘打ち日や釘整備日や入賞口等の測定値のデータを印刷出力することで、これらバーコードや２次元コードとともに印刷出力される整備に関する情報については、所定の端末等を使用しなくても、直接、読み取ることができるようにしてもよい。このようにすることで、所定の端末を使用できないときでも、整備に関する情報を確認できるようになる。
【０２３０】
以上説明したように、本実施例によれば、図１１に示すように、障害釘整備装置３００において、第２整備の種類（釘種別、整備工具種別、整備変形量（整備動作））に応じて異なるクランプ制御パターンが決定されることにより、異なる保持制御が行われるため、遊技盤を好適に保持することができるので、異なる種類の整備を適切に行うことができる。尚、整備の種類は本実施例に例示したものに限らす、本実施例に例示した種類とは異なる種類であってもよい。具体的には、整備変形量（整備工具の移動量）ではなく、整備工具の移動速度が異なる整備や、整備工具の移動の経路や障害釘２００に当接する位置の違い等であってもよい。
【０２３１】
また、本実施例によれば、障害釘整備装置３００のテーブル３０２において、遊技盤２は、遊技盤２に形成されたガイド孔に、該ガイド孔の内径よりも小径のガイドピンが挿通された状態で、該ガイドピンと交差する左右水平方向に付勢されているので、保持されている遊技盤の位置精度を高めることができる。
【０２３２】
また、本実施例によれば、第１整備並びに第２整備において、最初の整備（一次整備）を実施した後に、整備した障害釘２００の状態を検出して、該検出した状態が所定の適正状態になっているか否かを判定し、所定の適正状態になっていない場合には、検出した状態にもとづいて、最初の整備とは異なる再整備、具体的には、図６に示すように、再整備１回目では、整備動作の一例である変形例（整備量）を変更した整備、再整備２回目では、使用する整備用工具４００を変更した整備、再整備３回目では、障害釘整備装置３００を変更した整備を行うため、整備不良の障害釘の発生を防ぐことができる。
【０２３３】
尚、前記実施例では、検出した状態が所定の適正状態になっているか否かの判定を、管理コンピュータ５００において実施する形態を例示しているが、本発明はこれに限定されるものではなく、これらの判定を各障害釘整備装置３００側において行ったり、或いは、整備後の障害釘２００の状態の検出を、第１釘検査装置１７Ａ及び第２釘検査装置１７Ｂ等において行う形態の場合においては、これらの判定を各第１釘検査装置１７Ａ及び第２釘検査装置１７Ｂで行う、つまり、障害釘２００の状態の検出を行う装置側において行うようにしてもよい。
【０２３４】
また、本実施例によれば、再整備を所定回数（本実施例では３回）おこなっても、障害釘２００の状態が所定の適正状態になっていない場合には、第１整備や第２整備を終了して、製造ライン１２からの排出対象に設定されるので、必要以上に再整備（第２次整備）が繰り返し行われて、製造効率が低下してしまう等の不都合の発生を防ぐことができる。
【０２３５】
また、本実施例によれば、図２３に示すように、遊技盤面２ａ上の異なる領域（位置）の各障害釘２００の間隔を標準状態である１２．００ミリとする標準整備を行って（標準整備工程）、該標準整備がなされた各障害釘２００の間隔と標準状態である１２．００ミリとの誤差である個体差を検出するために標準整備後の障害釘２００の間隔を検出し（釘状態検出工程）、該検出によって得られた個体差から各領域毎の補正データが作成され、管理コンピュータ５００において、整備方式として「１装置完結方式」が設定されている場合には、整備対象の障害釘２００が設けられている領域（位置）に対応する補正データにより補正された第２整備データにもとづいて第２整備が行われるので、位置の違いによる整備不良の障害釘２００の発生を防ぐことができる。
【０２３６】
また、本実施例によれば、上記したように、標準整備（標準整備工程）、該標準整備がなされた各障害釘２００の間隔と標準状態である１２．００ミリとの誤差である個体差を検出し（釘状態検出工程）、管理コンピュータ５００において、整備方式として「複数装置分担方式」が設定されている場合には、個体差が良好な整備を行うための予め定められた基準値内である領域（位置）が属する範囲（範囲Ｒ１〜Ｒ６のいずれか）について障害釘２００の第２整備を行い、該基準値内にない領域（位置）、つまり釘整備方式設定画面において当該障害釘整備装置３００に対して設定されていない範囲の障害釘２００の整備は行わない（良好部分整備工程）ことで、位置の違いによる整備不良の障害釘２００の発生を防ぐことができる。
【０２３７】
尚、前記実施例では、管理コンピュータ５００において、整備方式を「１装置完結方式」と「複数装置分担方式」から選択して設定できる形態を例示しているが、本発明はこれに限定されるものではなく、これらの一方の整備方式のみを行うものであってもよい。
【０２３８】
また、本実施例によれば、障害釘整備装置３００において、検出用ピンＧと位置ズレ確認工具４００’とによる位置ズレ確認ができるので、位置ズレによる整備精度の低下を防ぐことができる。尚、前記実施例では、位置ズレ確認手段として、検出用ピンＧと位置ズレ確認工具４００’とを用いているが、本発明はこれに限定されるものではなく、これら検出用ピンＧと位置ズレ確認工具４００’を用いる方式以外の方式によって、位置ズレを確認するようにしてもよい。
【０２３９】
また、本実施例によれば、標準整備による個体差の再測定（再検出）を実行する実行条件（再検出実行条件）が成立する毎に、標準整備による再測定（再検出）が実行されるので、整備によって誤差（個体差）が変化しても、該変化に対応した整備を行うことができる。
【０２４０】
また、本実施例によれば、障害釘整備データテーブルにおいて遊技盤２のシリアル番号に対応付けて、該遊技盤２の障害釘２００の第２整備についての補正データ等の個体差情報が記憶、管理されるので、各遊技盤２について個体差情報を管理できる。
【０２４１】
また、本実施例では、パチンコ遊技機１の遊技盤面２ａに設けられた複数の障害釘２００の整備を行うものであって、複数の障害釘２００のうち予め定められた設定位置からのずれが許容範囲外である障害釘２００に対して工程Ｓ５にて行う第１整備と、複数の障害釘２００のうち予め指定された障害釘（例えば、指定釘２０４〜２０８）に対して工程Ｓ７にて行う第２整備と、を実行可能であり、第２整備では、第１整備とは内容が異なる整備を行う。このようにすることで、第１整備では、複数の障害釘２００について設定位置からのずれを一様に整備することができるとともに、第２整備では、予め指定された障害釘についてずれの整備とは内容が異なる整備を行うことができるため、障害釘２００の釘配列（ゲージ）等に応じた細かい整備が可能となる。
【０２４２】
本発明の障害釘整備システムは、パチンコ遊技機１の遊技盤面２ａに複数の障害釘２００を打ち込むための釘打ち機１６と、複数の障害釘２００各々について予め定められた設定位置からのずれが許容範囲内にあるか否かを判定する第１釘検査装置１７Ａや第２釘検査装置１７Ｂと、複数の障害釘２００の整備を行う障害釘整備装置３００と、釘打ち機１６、第１釘検査装置１７Ａや第２釘検査装置１７Ｂ、障害釘整備装置３００の制御を行う管理コンピュータ５００と、からなり、管理コンピュータ５００は、遊技盤面２ａに設けられた複数の障害釘２００のうち特定の障害釘を指定する障害釘指定手段（例えば、正確ドライバーの整備データを設定するためのインタフェースに表示される整備箇所（指定釘の種類））と、障害釘整備装置３００に対し、第１釘検査装置１７Ａや第２釘検査装置１７Ｂにより設定位置からのずれが許容範囲外であると判定された障害釘に対する第１整備の実行を指示する第１整備指示手段（例えば、検査結果データを受信したＣＰＵ５０２が、工程Ｓ３にて打ち込まれた障害釘２００のうち、工程Ｓ４の検査により頭部２００ｂの設定位置に対するＸＹ軸方向へずれが許容範囲外にあると判定された障害釘２００を対象として、該障害釘２００の頭部２００ｂを設定位置の許容範囲内に配置するための第１整備データを作成し、該第１整備データを遊技盤２の搬送先の障害釘整備装置３００へ送信して第１整備の実行を指示する部分）と、障害釘整備装置３００に対し、前記障害釘指定手段にて指定した障害釘に対する第２整備の実行を指示する第２整備指示手段（例えば、ＣＰＵ５０２が、複数の障害釘のうち、遊技盤２の種別に応じて予め指定した障害釘２００（例えば、指定釘２０４〜２０８など）を対象として、該障害釘２００の頭部２００ｂを指定位置の許容範囲内に配置するための第２整備データを障害釘整備装置３００へ送信して第２整備の実行を指示する部分）と、を有し、第２整備では、第１整備とは内容が異なる整備を行う。このようにすることで、第１整備では、複数の障害釘２００について設定位置からのずれを一様に整備することができるとともに、第２整備では、予め指定された障害釘２００についてずれの整備とは内容が異なる整備を行うことができるため、障害釘２００の釘配列（ゲージ）等に応じた細かい整備が可能となる。
【０２４３】
本発明の実施例としての管理装置は、パチンコ遊技機１の遊技盤面２ａに設けられた複数の障害釘２００の整備を行う障害釘整備装置３００の制御を行う管理コンピュータ５００であって、遊技盤面２ａに設けられた複数の障害釘２００のうち特定の障害釘を指定する障害釘指定手段（例えば、正確ドライバーの整備データを設定するためのインタフェースに表示される整備箇所（指定釘の種類））と、障害釘整備装置３００に対し、第１釘検査装置１７Ａや第２釘検査装置１７Ｂにより設定位置からのずれが許容範囲外であると判定された障害釘に対する第１整備の実行を指示する第１整備指示手段（例えば、検査結果データを受信したＣＰＵ５０２が、工程Ｓ３にて打ち込まれた障害釘２００のうち、工程Ｓ４の検査により頭部２００ｂの設定位置に対するＸＹ軸方向へずれが許容範囲外にあると判定された障害釘２００を対象として、該障害釘２００の頭部２００ｂを設定位置の許容範囲内に配置するための第１整備データを作成し、該第１整備データを遊技盤２の搬送先の障害釘整備装置３００へ送信して第１整備の実行を指示する部分）と、障害釘整備装置３００に対し、前記障害釘指定手段にて指定した障害釘に対する第２整備の実行を指示する第２整備指示手段（例えば、ＣＰＵ５０２が、複数の障害釘のうち、遊技盤２の種別に応じて予め指定した障害釘２００（例えば、指定釘２０４〜２０８など）を対象として、該障害釘２００の頭部２００ｂを指定位置の許容範囲内に配置するための第２整備データを障害釘整備装置３００へ送信して第２整備の実行を指示する部分）と、少なくとも前記障害釘整備装置３００から送信される前記整備に関する情報を含む障害釘に関する情報を、各遊技機毎に出力可能な出力手段（例えば、図２７に示す釘間測定書を印刷出力するプリンタ５０８）と、を備え、前記第２整備では、前記第１整備とは内容が異なる整備を行う。このようにすることで、第１整備では、複数の障害釘２００について設定位置からのずれを一様に整備することができるとともに、第２整備では、予め指定された障害釘２００についてずれの整備とは内容が異なる整備を行うことができるため、障害釘２００の釘配列（ゲージ）等に応じた細かい整備が可能となる。
【０２４４】
また、障害釘整備装置３００が複数である場合には、出力される釘間測定書には、複数の障害釘整備装置３００のうち、該釘間測定書に記載された整備を行った障害釘整備装置３００を特定可能な装置番号等の整備装置特定情報を含めることで、不良等が発生したときに、該不良のある整備を行った障害釘整備装置を容易に特定できる。
【０２４５】
また、第１整備を行った後、第２整備を行うことで、第１整備でずれが整備された状態で第２整備を行うことができるため、第２整備を正確に行うことができる。
【０２４６】
また、第１整備を行った障害釘２００について設定位置からのずれが許容範囲内にあるか否かを判定する第１判定手段（例えば、管理コンピュータ５００のＣＰＵ５０２は、第１整備を行った整備後の障害釘２００について、各障害釘２００が遊技盤面２ａに対し直交するＺ軸方向に対し上方に約４度傾斜しているか否かを、遊技盤２に対応するゲージデータから特定される各障害釘２００の頭部２００ｂの設定位置に対するＸＹ軸方向への位置ずれ方向及び位置ずれ量などにもとづいて判定する部分）と、第２整備を行った障害釘２００について予め定められた指定位置からのずれが許容範囲内にあるか否かを判定する第２判定手段（例えば、管理コンピュータ５００のＣＰＵ５０２が、第２整備が行われた指定釘２０４の頭部２００ｂが指定位置の許容範囲内に配置されているか否かを判定する部分）と、を備え、第１判定手段による判定方法と第２判定手段による判定方法とは異なることで、整備内容に応じた方法で効率よく判定することができる。
【０２４７】
また、第２判定手段は、力覚センサを用いた測定結果にもとづいて、指定位置からのずれが許容範囲内にあるか否かを判定するので、整備された障害釘２００の状態を詳細に把握することができる。
【０２４８】
また、力覚センサは、第１接触辺６０２Ｌと、該第１接触辺６０２Ｌに対し交差するように配置される第２接触辺６０２Ｒと、を有し、第１接触辺６０２Ｌと第２接触辺６０２Ｒとの基点ＲＰを指定位置に向けて移動する途中で第１接触辺６０２Ｌまたは第２接触辺６０２Ｒに接触したときにかかる負荷により、前記予め定められた指定位置からのずれが許容範囲内にあるか否かを判定するので、整備された障害釘２００の状態を詳細に把握することができる。
【０２４９】
また、管理コンピュータ５００（ＣＰＵ５０２）は、第１検査では、第２釘検査装置１７Ｂのカメラ４４により撮影した撮影画像にもとづいて、各障害釘２００の頭部２００ｂが設定位置の許容範囲内に配置されているか否かを判定し、カメラ４４は所定のフレーム４３に複数固定されているので、障害釘の状態を詳細に把握することができる。
【０２５０】
また、外気の状態を測定可能な測定手段（例えば、湿度計や温度計）を有し、測定手段の測定結果にもとづいて第１整備と第２整備を行うことで、第１整備や第２整備の精度を高めることができる。
【０２５１】
また、管理コンピュータ５００（ＣＰＵ５０２）は、第２検査では、検査用工具６００に設けられた測定部６０２（力覚センサ）により各障害釘２００の頭部２００ｂが指定位置の許容範囲内に配置されているか否かを判定し、各検査点Ｐ１，Ｐ２における胴部２００ａの指定位置に対するＸＹ軸方向のずれ量から障害釘２００の曲がり具合を特定することで、障害釘２００の頭部２００ｂの遊技盤面２ａからの長さ寸法を特定することができるため、障害釘２００の状態を詳細に把握することができる。
【０２５２】
また、障害釘２００の胴部２００ａを挟むように配置可能な挟持部４０３と、挟持部４０３を動作させる動作手段（例えば、管理コンピュータ５００のＣＰＵ５０２、障害釘整備装置３００の整備用アーム３０１、整備用アーム３０１の駆動源など）と、を備え、動作手段により挟持部４０３を動作させることで該挟持部４０３により胴部２００ａが挟まれた障害釘を整備するものであって、動作手段は、挟持部４０３を遊技盤面２ａに沿う方向であるＸＹ軸方向と該遊技盤面２ａに対し直交する方向であるＺ軸方向とに移動させることが可能であり、挟持部４０３を移動させて胴部２００ａにおける第１位置に配置する第１ステップと、挟持部４０３を第１位置においてＸＹ軸方向の一方向に傾ける第２ステップと、挟持部４０３を第１位置からＺ軸方向へ移動させて該第１位置よりも遊技盤面２ａから離れた第２位置に配置するとともにＸＹ軸方向の他方向に傾ける第３ステップと、を実行可能である。このようにすることで、挟持部４０３をＸＹ軸方向の一方向に傾けるだけでなく他方向に戻す動作を行うことで、胴部２００ａに対しバランスよく力を与えることができる。また、第１位置に配置した挟持部４０３をＸＹ軸方向の一方向に傾けた後、他方向に戻すだけでなく第２位置へ移動させることで、胴部２００ａの一部のみに曲げ力が集中して作用することを回避できるので、胴部２００ａを途中で曲げることなく安定して整備することができる。
【０２５３】
以上、本発明の実施例を図面により説明してきたが、具体的な構成はこれら実施例に限られるものではなく、本発明の要旨を逸脱しない範囲における変更や追加があっても本発明に含まれる。
【０２５４】
例えば、前記実施例では、新規に製造される遊技盤２について例示しているが、本発明はこれに限定されるものではなく、工場から一度出荷されて使用済みの遊技盤２や、工場から一度出荷されて未使用の遊技盤２であってもよい。尚、これら使用済みの遊技盤２の整備を行う場合にあっては、出荷時の遊技盤２の障害釘２００のデータ（例えば、釘間測定書のデータ）と、現状の障害釘２００のデータとを比較して、これら比較したデータを、遊技場への取り扱いに関するアドバイス、遊技盤２の改良や開発、障害釘２００の配置変更、劣化（変形）を見越した状態に整備内容を変更する等に活用するようにしてもよい。
【０２５５】
また、前記実施例では、障害釘整備装置３００において、風車６１やセンター飾り枠５１等の装飾物が装着されていない遊技盤２の障害釘２００を整備する形態を例示しているが、本発明はこれに限定されるものではなく、例えば、図３１の変形例に示すように、釘打ち機１６と第１釘検査装置１７Ａとの間に、風車等搭載装置Ｆや枠等搭載装置Ｗを配置し、図３２に示すように、これら風車等搭載装置Ｆや枠等搭載装置Ｗによって風車６１やセンター飾り枠５１等の装飾物が装着された遊技盤２について障害釘整備装置３００において整備を行うようにしてもよい。
【０２５６】
また、これら風車等搭載装置Ｆや枠等搭載装置Ｗを配置する位置に、搬送装置１３に投入するための投入口を設けて、上記した使用済みの遊技盤２や工場から一度出荷されて未使用の遊技盤２等を搬送装置１３に投入して、第１釘検査装置１７Ａによる検査や障害釘整備装置３００による整備を行うようにしてもよく、このように使用済みの遊技盤２等を整備する場合にあっては、図３２に示すように、風車６１やセンター飾り枠５１等の装飾物が装着された遊技盤２と同様に、遊技盤２を水平にテーブル３０２に載置して整備するのではなく、図３３に示すように、遊技盤２を垂直に立てた状態でテーブル３０２に載置し、固定して整備するようにしてもよい。また、使用済みの遊技盤２等の装飾物が装着されている遊技盤２の場合には図３３のように立てた状態で整備し、装飾物が装着されていない遊技盤２の場合には、図８に示すように、水平の状態で整備するように、遊技盤２の種類や状態に応じて遊技盤２を整備する態様（載置方法）を異なる態様とするようにしてもよい。尚、図３３のように、遊技盤２を垂直に立てた状態で整備する場合には、遊技盤２を遊技機用枠（台枠）３に取付けた状態で整備することもできる。
【０２５７】
また、前記実施例では、第１整備や第２整備の実行指示や実行内容、第１検査や第２検査により頭部２００ｂの設定位置や指定位置からのずれ方向やずれ量の判定を管理コンピュータ５００のＣＰＵ５０２が実行するようにしていたが、本発明はこれに限定されるものではなく、各障害釘整備装置３００にて第１整備や第２整備の実行指示や実行内容、第１検査や第２検査により頭部２００ｂの設定位置や指定位置からのずれ方向やずれ量の判定を実行するようにしてもよい。
【０２５８】
また、前記実施例では、製造ライン１２では、釘打ちから最終検査までの工程（工程Ｓ３〜工程Ｓ９）において、各遊技盤２は各工程で空いている装置が任意に搬送装置１３から取り出していく形態を例示したが、本発明はこれに限定されるものではなく、例えば、管理コンピュータ５００が、整備する障害釘整備装置３００に遊技盤２を振り分けるようにしてもよいし、各遊技盤２の整備履歴情報にもとづいて整備不備が多く発生している装置の装置番号を特定できるようにした場合、該整備不備が多く発生している装置を特定したときに、該装置には新たな整備データを送信しない、或いは、新たな遊技盤２を搬送しない、つまり、該装置を使用しないようにしてもよい。このようにすることで、整備不備の頻発を防ぐことができる。
【０２５９】
また、前記実施例では、製造ライン１２では、釘打ちから最終検査までの工程（工程Ｓ３〜工程Ｓ９）において、各遊技盤２は各工程で空いている装置に振り分けられていく仕様とされ、複数のうちいずれの装置で釘整備や釘打ちが行われるかが予め決定されていない形態を例示したが、本発明はこれに限定されるものではなく、釘打ちから最終検査までの工程（工程Ｓ３〜工程Ｓ９）において、各遊技盤２がいずれの装置により整備されるかを予め決定していてもよい。
【０２６０】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。
【０２６１】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【０２６２】
また、前記実施例では、整備に関する情報である釘間測定書を印刷にて出力する形態を例示しているが、本発明はこれに限定されるものではなく、これらの出力形態としては、釘間測定書を表示にて出力するものであってもよいし、釘間測定書のデータや釘間測定書に含まれるデータを、記録媒体に記録して出力する形態や、データとして外部に出力（送信）する出力形態としてもよい。
【０２６３】
また、前記実施例では、図２７に示す釘間測定書に、第２整備を行った指定釘２０４〜２０８等の番号が付された障害釘２００のデータ全てを、直接読み取り可能に表記するようにしているが、本発明はこれに限定されるものではなく、例えば、第１整備に関する情報については直接読み取り可能に表記するが、第２整備に関する情報については、直接読み取り不能に表記（例えば、符号化したデータにて表記）する等のように、第１整備と第２整備のいずれか一方に関する情報を直接読み取り可能に表記し、他方に関する情報を直接読み取り不能に表記するようにしてもよい。
【０２６４】
また、釘間測定書には、第１整備と第２整備のいずれか一方に関する情報のみを表記するようにしてもよい。
【０２６５】
また、前記実施例においては、第２整備を行った指定釘２０４〜２０８等の番号が付された障害釘２００のそれぞれについて、角度や方向等の、他の障害釘２００よりも詳細な情報を表記することで、重要性が高い障害釘２００の詳細な情報を釘間測定書において確認できるようにしているが、本発明はこれに限定されるものではなく、これら指定釘２０４〜２０８等の番号が付された障害釘２００についての情報を、他の障害釘２００と同じ情報のみとしてもよいし、逆に、これら指定釘２０４〜２０８等についての詳細な情報を、指定釘２０４〜２０８以外の障害釘２００の情報として表記するようにしてもよい。
【０２６６】
また、前記実施例においては、釘間測定書に記載していないが、例えば、第１整備や第２整備において、再整備の有無や再整備を行った回数等のデータを記載するようにしてもよいし、これら第１整備や第２整備や再整備に使用された整備用工具４００の種別等の情報を記載するようにしてもよい。
【０２６７】
また、前記実施例においては、第１整備と第２整備とで、再整備を３回実行した場合に、製造ライン１２から排出するようにして、再整備を行わない形態を例示したが、本発明はこれに限定されるものではなく、これら再整備の上限回数は、３以外の回数であってもよいとともに、第１整備の上限回数と第２整備の上限回数とを異なる回数としてもよい。
【０２６８】
また、前記実施例においては、補正データ（補正値）を、５０に分割した各領域において標準整備を実施し、該標準整備後の障害釘２００の間隔を測定して、設定値との誤差を特定し、該誤差により補正データ（補正値）を作成する形態を例示したが、本発明はこれに限定されるものではなく、その他の方法によって補正データ（補正値）を作成するようにしてもよい。
【０２６９】
また、前記実施例では、遊技盤の種別（ベニアか樹脂か）や、整備用工具、板温度、湿度毎に補正データを作成し、第２整備を行う際の整備条件に合致する補正データを読み出して、該補正データのうち、整備する障害釘２００の位置に該当する補正値を使用して第２整備データを補正する形態を例示しているが、本発明はこれに限定されるものではなく、これら整備条件の項目（要素）等については、これらの項目（要素）が多いと、補正データの容量が膨大となって、補正に要する時間が長くなることから、これらの項目（要素）については、十分な整備精度が得られる範囲で、できるだけ少ない数とするようにすればよい。
【０２７０】
また、前記実施例では、整備用工具４００を検査用工具６００に交換し、該交換した検査用工具６００を用いて障害釘２００の位置等の検出（検査）を行う形態を例示しているが、本発明はこれに限定されるものではなく、例えば、検査用工具６００に交換することなく、整備用工具４００を用いて障害釘２００の位置等の検出（検査）を行うようにしてもよい。
【０２７１】
また、前記実施例では、図２３に示すように、予め定められた標準整備を整備可能範囲の各領域において予め実施し、該標準整備後の整備結果である障害釘２００の実際の間隔と設定間隔との差に基づいて、障害釘２００の整備方式として複数装置分担方式を設定した場合における、各障害釘整備装置３００が整備を行う分担領域を決定する形態を例示したが、本発明はこれに限定されるものではなく、例えば、各障害釘整備装置３００が行った整備によって管理コンピュータ５００が蓄積している整備データを解析する等によって、各障害釘整備装置３００が整備を行う分担領域を決定するようにしてもよい。
【符号の説明】
【０２７２】
２        遊技盤
２ａ      遊技盤面
２００    障害釘
２００ａ  胴部
２００ｂ  頭部
３００    障害釘整備装置
３０１    整備用アーム
４００    整備用工具
５００    制御装置
５０１    制御部
５０２    記憶装置
６００    検査用工具
【要約】
【課題】整備不良の障害釘の発生を防ぐこと。
【解決手段】遊技盤面に設けられた複数の障害釘の整備を行う障害釘整備装置３００において、遊技盤２が移動しないように保持可能な保持手段３２０と、保持手段による遊技盤２の保持を制御する制御手段３００’と、を備え、制御手段３００’は、第１種類の整備を行うときと第２種類の整備を行うときとで異なる保持制御を行う
【選択図】図１１【図１】
0006031205.tif 000002
【図２】
0006031205.tif 000003
【図３】
0006031205.tif 000004
【図４】
0006031205.tif 000005
【図５】
0006031205.tif 000006
【図６】
0006031205.tif 000007
【図７】
0006031205.tif 000008
【図８】
0006031205.tif 000009
【図９】
0006031205.tif 000010
【図１０】
0006031205.tif 000011
【図１１】
0006031205.tif 000012
【図１３】
0006031205.tif 000013
【図１４】
0006031205.tif 000014
【図１５】
0006031205.tif 000015
【図１６】
0006031205.tif 000016
【図１７】
0006031205.tif 000017
【図１８】
0006031205.tif 000018
【図１９】
0006031205.tif 000019
【図２０】
0006031205.tif 000020
【図２１】
0006031205.tif 000021
【図２２】
0006031205.tif 000022
【図２３】
0006031205.tif 000023
【図２４】
0006031205.tif 000024
【図２５】
0006031205.tif 000025
【図２６】
0006031205.tif 000026
【図２７】
0006031205.tif 000027
【図２８】
0006031205.tif 000028
【図２９】
0006031205.tif 000029
【図３０】
0006031205.tif 000030
【図３１】
0006031205.tif 000031
【図３２】
0006031205.tif 000032
【図３３】
0006031205.tif 000033
【図１２】
0006031205.tif 000034